(57)【要約】本発明の実施形態は、ランダムアクセス方法、ユーザ機器および基地局を開示する。ユーザ機器は、短サブフレームサービス情報を搬送するランダムアクセス要求メッセージを基地局に送信し、ここで、短サブフレームサービス情報は、ランダムアクセス手続きがトリガされた後でＵＥが短サブフレームサービスを実行しようとしていることを示し、短サブフレームの持続時間は１ミリ秒未満である。ランダムアクセス要求メッセージの伝送が完了した後で、ユーザ機器と基地局とは、短サブフレームサービスに対応するリソースを介してランダムアクセス手続きの残りのメッセージを交換する。より短いランダムアクセス手続きの設計は、ＵＥが遊休状態から活動状態に入るための遅延を短縮し、ランダムアクセス手続き全体に必要とされる時間を短縮するようにする。短遅延サービスの遅延要件が満たされる。
2018510562.tif 000002
【特許請求の範囲】
【請求項１】
短サブフレームサービス情報を搬送するランダムアクセス要求メッセージを基地局に送信するように構成された伝送ユニットであって、前記短サブフレームサービス情報は、ランダムアクセス手続きがトリガされた後でＵＥが短サブフレームサービスを実行しようとしていることを示し、短サブフレームの持続時間は１ミリ秒未満である、伝送ユニットと、
前記ランダムアクセス要求メッセージの伝送が完了した後で、前記短サブフレームサービスに対応するリソースを介して前記ランダムアクセス手続きの残りのメッセージを伝送するように前記伝送ユニットに命令するように構成された処理ユニットであって、前記リソースは、前記ＵＥが前記短サブフレームサービスを実行するように前記基地局によって構成された時間領域リソースおよび周波数領域リソースを含む、処理ユニットと
を備えるユーザ機器ＵＥ。
【請求項２】
前記伝送ユニットは、
第１のランダムアクセスチャネルを介して第１のプリアンブルを前記基地局に送信するように特に構成され、前記第１のプリアンブルのビットは０番目からＮ番目のビットであり、Ｎ≧６４であり、Ｎは整数である請求項１に記載のＵＥ。
【請求項３】
前記第１のプリアンブルは、第１のグループのプリアンブルおよび第２のグループのプリアンブルを含み、前記第１のグループのプリアンブルは、プリアンブルの０番目から６３番目のビットを含み、前記第２のグループのプリアンブルは、プリアンブルの６４番目からＮ番目のビットを含み、前記第２のグループのプリアンブルは、前記基地局によって、前記ランダムアクセス手続きがトリガされた後で前記ＵＥが前記短サブフレームサービスを実行しようとしていると決定するために使用される請求項２に記載のＵＥ。
【請求項４】
前記伝送ユニットは、第２のランダムアクセスチャネルを介して第２のプリアンブルを前記基地局に送信するように特に構成され、前記第２のプリアンブルのビットは、０番目から６３番目のビットであり、前記第２のランダムアクセスチャネルを担持する物理ランダムアクセスチャネルの時間領域リソースのサイズは、１ミリ秒であり、
前記第２のランダムアクセスチャネルを持つ前記物理ランダムアクセスチャネルの時間領域リソースおよび／または周波数領域リソースの位置は、通常ランダムアクセスチャネルのそれと異なり、前記通常物理ランダムアクセスチャネルは、ランダムアクセス手続きにおいて通常サブフレームサービスにアクセスするために使用される物理ランダムアクセスチャネルであり、前記時間領域リソースおよび／または前記周波数領域リソースの前記位置は、前記基地局によって、前記ランダムアクセス手続きがトリガされた後で前記ＵＥが前記短サブフレームサービスを実行しようとしていると決定するために使用される請求項１に記載のＵＥ。
【請求項５】
前記伝送ユニットは、第３のランダムアクセスチャネルを介して第３のプリアンブルを前記基地局に送信するように特に構成され、前記第３のランダムアクセスチャネルを担持する物理ランダムアクセスチャネルは、少なくとも１つの直交周波数分割多重ＯＦＤＭシンボルの時間領域リソースを占有し、前記第３のランダムアクセスチャネルを持つ前記物理ランダムアクセスチャネルによって占有される前記時間領域リソースは、前記ランダムアクセス手続きがトリガされた後で前記ＵＥが前記短サブフレームサービスを実行しようとしていることを示す請求項１に記載のＵＥ。
【請求項６】
前記処理ユニットは、
前記第３のランダムアクセスチャネルの構成頻度を増大させるように特に構成され、前記構成頻度の最大値は、前記第３のアクセスチャネルが前記第３のランダムアクセスチャネルが利用可能な時間領域リソースに完全に構成されることである請求項５に記載のＵＥ。
【請求項７】
前記ＵＥは、前記基地局から送信されるランダムアクセスパラメータを受信するように構成された受信ユニットであって、前記ランダムアクセスパラメータは前記ＵＥが前記短サブフレームサービスのデータを送信するときに利用可能な時間領域リソースおよび周波数領域リソースを示すために使用される、受信ユニットをさらに備える請求項１乃至６のいずれか一項に記載のＵＥ。
【請求項８】
前記受信ユニットは、前記ＵＥが前記ランダムアクセス手続きを実行するように前記基地局によって構成された時間領域リソースおよび周波数領域リソースについての情報を受信するようにさらに構成され、前記情報は、前記基地局によって同報通信される請求項７に記載のＵＥ。
【請求項９】
ユーザ機器ＵＥから送信される、短サブフレームサービス情報を搬送するランダムアクセス要求メッセージを受信するように構成された伝送ユニットであって、前記短サブフレームサービス情報は、ランダムアクセス手続きがトリガされた後で前記ＵＥが短サブフレームサービスを実行しようとしていることを示し、短サブフレームの持続時間は１ミリ秒未満である、伝送ユニットと、
前記ランダムアクセス要求メッセージの伝送が完了した後で、前記短サブフレームサービスに対応するリソースを介して前記ランダムアクセス手続きの残りのメッセージを伝送するように前記伝送ユニットに命令するように構成された処理ユニットであって、前記リソースは、前記ＵＥが前記短サブフレームサービスを実行するように前記基地局によって構成された時間領域リソースおよび周波数領域リソースを含む、処理ユニットと
を備える基地局。
【請求項１０】
前記伝送ユニットは、ランダムアクセスパラメータを前記ＵＥに送信するようにさらに構成され、前記ランダムアクセスパラメータは、前記ＵＥが前記短サブフレームサービスのデータを送信するときに利用可能な時間領域リソースおよび周波数領域リソースを示すために使用される請求項９に記載の基地局。
【請求項１１】
同報通信メッセージを前記ＵＥに同報通信するように構成された同報通信ユニットをさらに備え、前記同報通信メッセージは、前記ＵＥが前記ランダムアクセス手続きを実行するように構成された前記時間領域リソースおよび前記周波数領域リソースについての情報を含む請求項９または１０に記載の基地局。
【請求項１２】
ランダムアクセス方法であり、短サブフレームサービスにアクセスするために使用される方法であって、
ユーザ機器ＵＥが、短サブフレームサービス情報を搬送するランダムアクセス要求メッセージを基地局に送信することであって、前記短サブフレームサービス情報は、ランダムアクセス手続きがトリガされた後で前記ＵＥが短サブフレームサービスを実行しようとしていることを示し、短サブフレームの持続時間は１ミリ秒未満である、送信することと、
前記ＵＥが、前記ランダムアクセス要求メッセージの伝送が完了した後で、前記ランダムアクセス手続きの残りのメッセージを伝送することであって、前記残りのメッセージは、前記短サブフレームサービスに対応するリソースを介して伝送され、前記リソースは、前記ＵＥが前記短サブフレームサービスを実行するように前記基地局によって構成された時間領域リソースおよび周波数領域リソースを含む、伝送することと
を含む方法。
【請求項１３】
ＵＥが短サブフレームサービス情報を搬送するランダムアクセス要求メッセージを基地局に前記送信することは、
前記ＵＥが第１のランダムアクセスチャネルを介して第１のプリアンブルを前記基地局に送信することであって、前記第１のプリアンブルのビットは０番目からＮ番目のビットであり、Ｎ≧６４であり、Ｎは整数である、送信することを含む請求項１２に記載の方法。
【請求項１４】
前記第１のプリアンブルは、第１のグループのプリアンブルおよび第２のグループのプリアンブルを含み、前記第１のグループのプリアンブルは、プリアンブルの０番目から６３番目のビットを含み、前記第２のグループのプリアンブルは、プリアンブルの６４番目からＮ番目のビットを含み、前記第２のグループのプリアンブルは、前記基地局によって、前記ランダムアクセス手続きがトリガされた後で前記ＵＥが前記短サブフレームサービスを実行しようとしていると決定するために使用される請求項１３に記載の方法。
【請求項１５】
ＵＥが短サブフレームサービス情報を搬送するランダムアクセス要求メッセージを基地局に前記送信することは、
前記ＵＥが第２のランダムアクセスチャネルを介して第２のプリアンブルを前記基地局に送信することであって、前記第２のプリアンブルのビットは、０番目から６３番目のビットであり、前記第２のランダムアクセスチャネルを担持する物理ランダムアクセスチャネルの時間領域リソースのサイズは、１ミリ秒である、送信することを含み、
前記第２のランダムアクセスチャネルを持つ前記物理ランダムアクセスチャネルの時間領域リソースおよび／または周波数領域リソースの位置は、通常物理ランダムアクセスチャネルのそれと異なり、前記通常物理ランダムアクセスチャネルは、ランダムアクセス手続きにおいて通常サブフレームサービスにアクセスするために使用される物理ランダムアクセスチャネルであり、前記時間領域リソースおよび／または前記周波数領域リソースの前記位置は、前記基地局によって、前記ランダムアクセス手続きがトリガされた後で前記ＵＥが前記短サブフレームサービスを実行しようとしていると決定するために使用される請求項１２に記載の方法。
【請求項１６】
ＵＥが短サブフレームサービス情報を搬送するランダムアクセス要求メッセージを基地局に前記送信することは、
前記ＵＥが第３のランダムアクセスチャネルを介して第３のプリアンブルを前記基地局に送信することであって、前記第３のランダムアクセスチャネルを担持する物理ランダムアクセスチャネルは、少なくとも１つの直交周波数分割多重ＯＦＤＭシンボルの時間領域リソースを占有し、前記第３のランダムアクセスチャネルを持つ前記物理ランダムアクセスチャネルによって占有される前記時間領域リソースは、前記ランダムアクセス手続きがトリガされた後で前記ＵＥが前記短サブフレームサービスを実行しようとしていることを示す、送信することを含む請求項１２に記載の方法。
【請求項１７】
前記第３のランダムアクセスチャネルの構成頻度を増大させることであって、前記構成頻度の最大値は、前記第３のアクセスチャネルが前記第３のランダムアクセスチャネルが利用可能な時間領域リソースに完全に構成されることである、増大させることをさらに含む請求項１６に記載の方法。
【請求項１８】
前記ＵＥが、前記基地局から送信されるランダムアクセスパラメータを受信することであって、前記ランダムアクセスパラメータは前記ＵＥが前記短サブフレームサービスのデータを送信するときに利用可能な時間領域リソースおよび周波数領域リソースを示すために使用される、受信することをさらに含む請求項１２乃至１７のいずれか一項に記載の方法。
【請求項１９】
ＵＥが短サブフレームサービス情報を搬送するランダムアクセス要求メッセージを基地局に前記送信することの前に、
前記ＵＥが前記基地局から同報通信される同報通信メッセージを受信することであって、前記同報通信メッセージは、前記ＵＥが前記ランダムアクセス手続きを実行するように前記基地局によって構成された時間領域リソースおよび周波数領域リソースについての情報を含む、受信することをさらに含む請求項１２乃至１８のいずれか一項に記載の方法。
【請求項２０】
ランダムアクセス方法であり、短サブフレームサービスにアクセスするために使用される方法であって、
ユーザ機器ＵＥから送信される、短サブフレームサービス情報を搬送するランダムアクセス要求メッセージを受信することであって、前記短サブフレームサービス情報は、ランダムアクセス手続きがトリガされた後で前記ＵＥが短サブフレームサービスを実行しようとしていることを示し、短サブフレームの持続時間は１ミリ秒未満である、受信することと、
前記基地局が、前記ランダムアクセス要求メッセージの伝送が完了した後で、前記ランダムアクセス手続きの残りのメッセージを伝送することであって、前記残りのメッセージは、前記短サブフレームサービスに対応するリソースを介して伝送され、前記リソースは、前記ＵＥが前記短サブフレームサービスを実行するように前記基地局によって構成された時間領域リソースおよび周波数領域リソースを含む、伝送することと
を含む方法。
【請求項２１】
前記基地局がランダムアクセスパラメータを前記ＵＥに送信することであって、前記ランダムアクセスパラメータは、前記ＵＥが前記短サブフレームサービスのデータを送信するときに利用可能な時間領域リソースおよび周波数領域リソースを示すために使用される、送信することをさらに含む請求項２０に記載の方法。
【請求項２２】
ユーザ機器ＵＥから送信される、短サブフレームサービス情報を搬送するランダムアクセス要求メッセージを前記受信することの前に、
前記基地局が、同報通信メッセージを前記ＵＥに同報通信することであって、前記同報通信メッセージは、前記ＵＥが前記ランダムアクセス手続きを実行するように構成された前記時間領域リソースおよび前記周波数領域リソースについての情報を含む、同報通信することをさらに含む請求項２０または２１に記載の方法。
【発明の詳細な説明】
【技術分野】
【０００１】
本発明の実施形態は、ワイヤレス通信の分野に関し、特に、ランダムアクセス方法、ユーザ機器、および基地局に関する。
【背景技術】
【０００２】
増大するユーザの通信要件を満たすために、第５世代（Ｆｉｆｔｈ  Ｇｅｎｅｒａｔｉｏｎ、５Ｇ）通信システムの研究および開発が開始されている。５Ｇ通信システムの重要な性能指標は、主に、ユーザ体験レート、接続密度、エンドツーエンド遅延、トラフィック密度、モビリティ、およびユーザピークレートを含む。５Ｇサービスは、エンドツーエンド遅延に高度な要求を有する。通常のサービスで必要とされる遅延は１０ミリ秒であり、自動車のインターネットおよびスマートグリッドで必要とされる遅延は、１ミリ秒ほどの短さである。
【０００３】
現在のロングタームエボリューション（Ｌｏｎｇ-Ｔｅｒｍ  Ｅｖｏｌｕｔｉｏｎ、ＬＴＥ）システムのアーキテクチャでは、サブフレームの持続時間は、１ミリ秒である。ユーザ機器（ｕｓｅｒ  ｅｑｕｉｐｍｅｎｔ、ＵＥ）のランダムアクセス手続きでは、ＵＥが遊休状態（ｉｄｌｅ）から活動状態（ａｃｔｉｖｅ）に入るプロセスは、約５０ミリ秒を要する。ＬＴＥシステムのこのような過度に長い伝送遅延は、短遅延サービスの遅延要件を満たすことができない。
【発明の概要】
【０００４】
本発明の実施形態は、短遅延サービスの遅延要件を満たすためにランダムアクセス方法を提供する。本発明の実施形態は、さらに、ユーザ機器および基地局を提供する。
【０００５】
第１の態様によれば、本発明の実施形態は、短サブフレームサービス情報を搬送するランダムアクセス要求メッセージを基地局に送信するように構成された伝送ユニットであって、短サブフレームサービス情報は、ランダムアクセス手続きがトリガされた後でＵＥが短サブフレームサービスを実行しようとしていることを示し、短サブフレームの持続時間は１ミリ秒未満である、伝送ユニットと、ランダムアクセス要求メッセージの伝送が完了した後で、短サブフレームサービスに対応するリソースを介してランダムアクセス手続きの残りのメッセージを伝送するように伝送ユニットに命令するように構成された処理ユニットであって、リソースは、ＵＥが短サブフレームサービスを実行するように基地局によって構成された時間領域リソースおよび周波数領域リソースを含む、処理ユニットとを含むＵＥを提供する。
【０００６】
第１の態様の第１の可能な実施態様では、伝送ユニットは、第１のランダムアクセスチャネルを介して第１のプリアンブルを基地局に送信するように特に構成され、第１のプリアンブルのビットは０番目からＮ番目のビットであり、Ｎ≧６４であり、Ｎは整数である。
【０００７】
上述の可能な実施態様のうちのいずれか１つを参照して、第１の態様の第２の可能な実施態様では、第１のプリアンブルは、第１のグループのプリアンブルおよび第２のグループのプリアンブルを含み、第１のグループのプリアンブルは、プリアンブルの０番目から６３番目のビットを含み、第２のグループのプリアンブルは、プリアンブルの６４番目からＮ番目のビットを含み、第２のグループのプリアンブルは、基地局によって、ランダムアクセス手続きがトリガされた後でＵＥが短サブフレームサービスを実行しようとしていると決定するために使用される。
【０００８】
第１の態様の第３の可能な実施態様では、伝送ユニットは、第２のランダムアクセスチャネルを介して第２のプリアンブルを基地局に送信するように特に構成され、第２のプリアンブルのビットは、０番目から６３番目のビットであり、第２のランダムアクセスチャネルを持つ物理ランダムアクセスチャネルの時間領域リソースのサイズは、１ミリ秒であり、第２のランダムアクセスチャネルを持つ物理ランダムアクセスチャネルの時間領域リソースおよび／または周波数領域リソースの位置は、通常ランダムアクセスチャネルのそれと異なり、通常物理ランダムアクセスチャネルは、ランダムアクセス手続きにおいて通常サブフレームサービスにアクセスするために使用される物理ランダムアクセスチャネルであり、時間領域リソースおよび／または周波数領域リソースの位置は、基地局によって、ランダムアクセス手続きがトリガされた後でＵＥが短サブフレームサービスを実行しようとしていると決定するために使用される。
【０００９】
第１の態様の第４の可能な実施態様では、伝送ユニットは、第３のランダムアクセスチャネルを介して第３のプリアンブルを基地局に送信するように特に構成され、第３のランダムアクセスチャネルを担持する物理ランダムアクセスチャネルは、少なくとも１つの直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルの時間領域リソースを占有し、第３のランダムアクセスチャネルを担持する物理ランダムアクセスチャネルによって占有される時間領域リソースは、ランダムアクセス手続きがトリガされた後でＵＥが短サブフレームサービスを実行しようとしていることを示す。
【００１０】
第１の態様の第４の可能な実施態様を参照して、第１の態様の第５の可能な実施態様では、処理ユニットは、第３のランダムアクセスチャネルの構成頻度を増大させるように特に構成され、構成頻度の最大値は、第３のアクセスチャネルが第３のランダムアクセスチャネルが利用可能な時間領域リソースに完全に構成されることである。
【００１１】
上述の可能な実施態様のうちのいずれか１つを参照して、第１の態様の第５の可能な実施態様では、ＵＥは、基地局から送信されるランダムアクセスパラメータを受信するように構成された受信ユニットであって、ランダムアクセスパラメータはＵＥが短サブフレームサービスのデータを送信するときに利用可能な時間領域リソースおよび周波数領域リソースを示すために使用される、受信ユニットをさらに含む。
【００１２】
第１の態様の第５の可能な実施態様を参照して、第１の態様の第６の可能な実施態様では、受信ユニットは、ＵＥがランダムアクセス手続きを実行するように基地局によって構成された時間領域リソースおよび周波数領域リソースについての情報を受信するようにさらに構成され、情報は、基地局によって同報通信される。
【００１３】
第２の態様によれば、本発明の実施形態は、ユーザ機器ＵＥから送信される、短サブフレームサービス情報を搬送するランダムアクセス要求メッセージを受信するように構成された伝送ユニットであって、短サブフレームサービス情報は、ランダムアクセス手続きがトリガされた後でＵＥが短サブフレームサービスを実行しようとしていることを示し、短サブフレームの持続時間は１ミリ秒未満である、伝送ユニットと、ランダムアクセス要求メッセージの伝送が完了した後で、短サブフレームサービスに対応するリソースを介してランダムアクセス手続きの残りのメッセージを伝送するように伝送ユニットに命令するように構成された処理ユニットであって、リソースは、ＵＥが短サブフレームサービスを実行するように基地局によって構成された時間領域リソースおよび周波数領域リソースを含む、処理ユニットとを含む基地局を提供する。
【００１４】
第２の態様の第１の可能な実施態様では、伝送ユニットは、ランダムアクセスパラメータをＵＥに送信するようにさらに構成され、ランダムアクセスパラメータは、ＵＥが短サブフレームサービスのデータを送信するときに利用可能な時間領域リソースおよび周波数領域リソースを示すために使用される。
【００１５】
上述の可能な実施態様のうちのいずれか１つを参照して、第２の態様の第２の可能な実施態様では、基地局は、同報通信メッセージをＵＥに同報通信するように構成された同報通信ユニットをさらに含み、同報通信メッセージは、ＵＥがランダムアクセス手続きを実行するように構成された時間領域リソースおよび周波数領域リソースについての情報を含む。
【００１６】
第３の態様によれば、本発明の実施形態は、ランダムアクセス方法であり、短サブフレームサービスにアクセスするために使用される方法であって、ユーザ機器ＵＥが、短サブフレームサービス情報を搬送するランダムアクセス要求メッセージを基地局に送信することであって、短サブフレームサービス情報は、ランダムアクセス手続きがトリガされた後でＵＥが短サブフレームサービスを実行しようとしていることを示し、短サブフレームの持続時間は１ミリ秒未満である、送信することと、ＵＥが、ランダムアクセス要求メッセージの伝送が完了した後で、ランダムアクセス手続きの残りのメッセージを伝送することであって、残りのメッセージは、短サブフレームサービスに対応するリソースを介して伝送され、リソースは、ＵＥが短サブフレームサービスを実行するように基地局によって構成された時間領域リソースおよび周波数領域リソースを含む、伝送することとを含む方法を提供する。
【００１７】
第３の態様の第１の可能な実施態様では、ＵＥが短サブフレームサービス情報を搬送するランダムアクセス要求メッセージを基地局に送信することは、ＵＥが第１のランダムアクセスチャネルを介して第１のプリアンブルを基地局に送信することであって、第１のプリアンブルのビットは０番目からＮ番目のビットであり、Ｎ≧６４であり、Ｎは整数である、送信することを含む。
【００１８】
上述の可能な実施態様のうちのいずれか１つを参照して、第３の態様の第２の可能な実施態様では、第１のプリアンブルは、第１のグループのプリアンブルおよび第２のグループのプリアンブルを含み、第１のグループのプリアンブルは、プリアンブルの０番目から６３番目のビットを含み、第２のグループのプリアンブルは、プリアンブルの６４番目からＮ番目のビットを含み、第２のグループのプリアンブルは、基地局によって、ランダムアクセス手続きがトリガされた後でＵＥが短サブフレームサービスを実行しようとしていると決定するために使用される。
【００１９】
第３の態様の第３の可能な実施態様では、ＵＥが短サブフレームサービス情報を搬送するランダムアクセス要求メッセージを基地局に送信することは、ＵＥが第２のランダムアクセスチャネルを介して第２のプリアンブルを基地局に送信することであって、第２のプリアンブルのビットは、０番目から６３番目のビットであり、第２のランダムアクセスチャネルを担持する物理ランダムアクセスチャネルの時間領域リソースのサイズは、１ミリ秒である、送信することを含み、第２のランダムアクセスチャネルを担持する物理ランダムアクセスチャネルの時間領域リソースおよび／または周波数領域リソースの位置は、通常物理ランダムアクセスチャネルのそれと異なり、通常物理ランダムアクセスチャネルは、ランダムアクセス手続きにおいて通常サブフレームサービスにアクセスするために使用される物理ランダムアクセスチャネルであり、時間領域リソースおよび／または周波数領域リソースの位置は、基地局によって、ランダムアクセス手続きがトリガされた後でＵＥが短サブフレームサービスを実行しようとしていると決定するために使用される。
【００２０】
第３の態様の第４の可能な実施態様では、ＵＥが短サブフレームサービス情報を搬送するランダムアクセス要求メッセージを基地局に送信することは、ＵＥが第３のランダムアクセスチャネルを介して第３のプリアンブルを基地局に送信することであって、第３のランダムアクセスチャネルを持つ物理ランダムアクセスチャネルは、少なくとも１つのＯＦＤＭシンボルの時間領域リソースを占有し、第３のランダムアクセスチャネルを持つ物理ランダムアクセスチャネルによって占有される時間領域リソースは、ランダムアクセス手続きがトリガされた後でＵＥが短サブフレームサービスを実行しようとしていることを示す、送信することを含む。
【００２１】
第３の態様の第４の可能な実施態様を参照して、第３の態様の第５の可能な実施態様では、この方法は、第３のランダムアクセスチャネルの構成頻度を増大させることであって、構成頻度の最大値は、第３のアクセスチャネルが第３のランダムアクセスチャネルが利用可能な時間領域リソースに完全に構成されることである、増大させることをさらに含む。
【００２２】
上述の可能な実施態様のうちのいずれか１つを参照して、第３の態様の第６の可能な実施態様では、この方法は、ＵＥが、基地局から送信されるランダムアクセスパラメータを受信することであって、ランダムアクセスパラメータはＵＥが短サブフレームサービスのデータを送信するときに利用可能な時間領域リソースおよび周波数領域リソースを示すために使用される、受信することをさらに含む。
【００２３】
上述の可能な実施態様のうちのいずれか１つを参照して、第３の態様の第７の可能な実施態様では、ＵＥが短サブフレームサービス情報を搬送するランダムアクセス要求メッセージを基地局に送信することの前に、この方法は、ＵＥが基地局から同報通信される同報通信メッセージを受信することであって、同報通信メッセージは、ＵＥがランダムアクセス手続きを実行するように基地局によって構成された時間領域リソースおよび周波数領域リソースについての情報を含む、受信することをさらに含む。
【００２４】
第４の態様によれば、本発明の実施形態は、ランダムアクセス方法であり、短サブフレームサービスにアクセスするために使用される方法であって、ユーザ機器ＵＥから送信される、短サブフレームサービス情報を搬送するランダムアクセス要求メッセージを受信することであって、短サブフレームサービス情報は、ランダムアクセス手続きがトリガされた後でＵＥが短サブフレームサービスを実行しようとしていることを示し、短サブフレームの持続時間は１ミリ秒未満である、受信することと、基地局が、ランダムアクセス要求メッセージの伝送が完了した後で、ランダムアクセス手続きの残りのメッセージを伝送することであって、残りのメッセージは、短サブフレームサービスに対応するリソースを介して伝送され、リソースは、ＵＥが短サブフレームサービスを実行するように基地局によって構成された時間領域リソースおよび周波数領域リソースを含む、伝送することとを含む方法を提供する。
【００２５】
第４の態様の第１の可能な実施態様では、基地局がランダムアクセスパラメータをＵＥに送信し、ランダムアクセスパラメータは、ＵＥが短サブフレームサービスのデータを送信するときに利用可能な時間領域リソースおよび周波数領域リソースを示すために使用される。
【００２６】
上述の可能な実施態様のうちのいずれか１つを参照して、第４の態様の第２の可能な実施態様では、ユーザ機器ＵＥから送信される、短サブフレームサービス情報を搬送するランダムアクセス要求メッセージを受信することの前に、この方法は、基地局が、同報通信メッセージをＵＥに同報通信することであって、同報通信メッセージは、ＵＥがランダムアクセス手続きを実行するように構成された時間領域リソースおよび周波数領域リソースについての情報を含む、同報通信することをさらに含む。
【００２７】
本発明の実施形態で提供される技術的解決策では、ユーザ機器は、短サブフレームサービス情報を搬送するランダムアクセス要求メッセージを基地局に送信し、短サブフレームサービス情報は、ランダムアクセス手続きがトリガされた後でＵＥが短サブフレームサービスを実行しようとしていることを示し、短サブフレームの持続時間は１ミリ秒未満である。ランダムアクセス要求メッセージの伝送が完了した後で、ユーザ機器と基地局とは、短サブフレームサービスに対応するリソースを介してランダムアクセス手続きの残りのメッセージを交換する。より短いランダムアクセス手続きの設計は、ＵＥが遊休状態から活動状態に入るための遅延を短縮し、ランダムアクセス手続き全体に必要とされる時間を短縮するようにする。短遅延サービスの遅延要件が満たされる。
【図面の簡単な説明】
【００２８】
本発明の実施形態の技術的解決策をさらに明快に説明するために、以下、それらの実施形態を説明するために必要とされる添付の図面について簡単に説明する。明らかに、以下の説明における添付の図面は、単に本発明のいくつかの実施形態を示しているに過ぎず、当業者なら、創造的努力なしにこれらの添付の図面から他の図面をさらに導出することがある。
【図１】本発明の実施形態の適用シナリオについての概略図である。
【図２】本発明の実施形態によるランダムアクセス方法についての概略フローチャートである。
【図３】本発明の実施形態によるランダムアクセス方法についての概略フローチャートである。
【図４】本発明の実施形態によるランダムアクセス方法についての概略フローチャートである。
【図５】本発明の実施形態によるランダムアクセス方法についての概略フローチャートである。
【図６】本発明の実施形態によるＵＥについての概略構造図である。
【図７】本発明の実施形態による別のランダムアクセス方法についての概略フローチャートである。
【図８】本発明の実施形態による基地局についての概略構造図である。
【図９】第２のランダムアクセスチャネルのリソース構成についての図である。
【発明を実施するための形態】
【００２９】
本発明の目的、技術的解決策および利点をより明白にするために、以下、添付の図面を参照して本発明の実施態様を詳細にさらに説明する。
【００３０】
本発明の実施形態で提供される技術的解決策は、ＬＴＥシステムおよび進化型ＬＴＥ通信システムに適用可能である。
【００３１】
本発明の実施形態の基地局は、ＬＴＥシステムの進化型ノードＢ（ｅ-ＮｏｄｅＢ、進化型ＮｏｄｅＢ）、または進化型ＬＴＥ通信システムの同様の基地局であり得る。
【００３２】
本発明の実施形態のＵＥは、無線アクセスネットワーク（Ｒａｄｉｏ  Ａｃｃｅｓｓ  Ｎｅｔｗｏｒｋ、ＲＡＮ）を使用することによって１つまたは複数のコアネットワークと通信することがある。例えば、ＵＥは、携帯電話、またはモバイル端末を備えたコンピュータであり得る。例えば、ユーザ機器は、あるいは、音声および／またはデータを無線アクセスネットワークと交換する、携帯型でポケット型で手持ち型のコンピュータ内蔵モバイル装置または車載型モバイル装置であり得る。
【００３３】
本発明の実施形態では、基地局からＵＥへの１方向性通信リンクがダウンリンクであり、ＵＥから基地局への１方向性通信リンクがアップリンクであると規定されている。
【００３４】
仮想マルチキャリアアグリゲーションは、ＬＴＥシステムから５Ｇ通信システムへの進化において重要な技術である。仮想マルチキャリアアグリゲーションとは、複数のキャリアが同じ中心周波数および同じ帯域幅を有し、異なる仮想キャリアが使用されて異なるサービスタイプを搬送し、また異なる仮想キャリアが通常サブフレームおよび短サブフレームなど異なるサブフレーム構造を有することを意味する。通常サブフレームは、ＬＴＥシステムで一般に使用される、持続時間が１ミリ秒（ｍｓ）であるサブフレームである。短サブフレームは、５Ｇサービスの短遅延要件を満たすように設計された、持続時間が１ｍｓ未満であるサブフレームである。したがって、短サブフレームを使用してサービスデータが送信されるサービスは、短サブフレームサービスと呼ばれ、通常サブフレームを使用してサービスデータが送信されるサービスは、通常サブフレームサービスと呼ばれる。サブフレームの持続時間は、サブフレームの時間領域長、またはサブフレームの時間領域リソースサイズと呼ばれることもある。
【００３５】
この複数の仮想キャリアは、仮想１次成分キャリアおよび仮想２次成分キャリアを含む。仮想１次成分キャリアは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）または同報通信メッセージ中で、仮想２次成分キャリアによってスケジュール可能なリソースを構成し、仮想２次成分キャリアは、そのスケジュール可能なリソースから対応するサービスまたはユーザにリソースを動的に割り当てる。仮想マルチキャリアアグリゲーション技術を適用することにより、短遅延サービスのデータは、仮想２次成分キャリアによって搬送されることがあり、通常遅延サービスのデータは、仮想１次成分キャリアで搬送されることがある。すなわち、この技術は、既存のＬＴＥシステムのアーキテクチャにそれほど修正を加えることなく、通常遅延サービスと短遅延サービスとが帯域幅またはキャリアを共有することを可能にする。良好な互換性が得られる。
【００３６】
仮想マルチキャリアアグリゲーション技術は、マクロセル（ｍａｃｒｏ  ｃｅｌｌ）ネットワーキングシナリオ、マクロセル／スモールセル（ｓｍａｌｌ  ｃｅｌｌ）ジョイントネットワーキングシナリオ、スモールセル間の仮想マルチキャリアアグリゲーションなど、複数のネットワーキングシナリオに適用可能である。スモールセルは、マイクロセル（ｍｉｃｒｏ）またはピコセル（ｐｉｃｏ）など、任意のスモールセル製品であることがある。具体的には、マクロセルネットワーキングシナリオでは、仮想マルチキャリアアグリゲーションは、マクロセルで実施される。マクロセル／スモールセルジョイントネットワーキングシナリオでは、仮想マルチキャリアアグリゲーションは、スモールセルで実施されることがあり、マクロセルがスモールセルの短サブフレームリソースに対して干渉するのを回避するために、スモールセルは、マクロセルと交渉して、マクロセルにスモールセルのサブフレームが位置するスペクトルリソースを放棄させる。任意選択で、マクロセル／スモールセルジョイントネットワーキングシナリオでは、仮想マルチキャリアアグリゲーションは、スモールセルおよびマクロセルで別個に実施されることがあり、マクロセルがスモールセルの短サブフレームリソースに対して干渉するのを回避するために、割当てにおいて、マクロセルは、マクロセル、またはスモールセルの別の２次成分キャリアに、スモールセルの短サブフレームが位置するスペクトルリソースを放棄させる。さらに、遠隔無線ユニットを備えるマクロセル／スモールセルジョイントネットワーキングシナリオでは、マクロセルとマイクロセルのセル識別子が異なる場合には、仮想マルチキャリアアグリゲーションは、マクロセルで実施されることがある。マクロセルとマイクロセルのセル識別子が同一である場合には、遠隔無線ユニット（ｒｅｍｏｔｅ  ｒａｄｉｏ  ｕｎｉｔ、ＲＲＵ）の仮想１次成分キャリアは、マクロセルのアンテナポートと等価であり、ＲＲＵのこの仮想１次成分キャリアまたは仮想２次成分キャリアの帯域幅は、マクロセルの帯域幅と同じであり、スモールセルは、異なる仮想キャリアを担持することも、または仮想２次成分キャリアのみを持つこともある。
【００３７】
図１は、本発明の実施形態による適用シナリオについての概略図である。
【００３８】
図１に示されるように、ｅＮＢは１つのセル（ｃｅｌｌ）を管理し、このセルのカバレージエリア内に３つのユーザ機器、すなわちＵＥ１、ＵＥ２およびＵＥ３がある。１つのＵＥが遊休状態から接続状態に入ろうとするとき、またはアップリンク情報を、セル下りアクセス状態、セルページング状態もしくは登録領域ページング状態など、異なる状態にあるときに送信しようとするときには、そのＵＥは、ランダムアクセス手続きを使用してｅＮＢへの接続を確立して、対応する通信サービスを取得することがある。各ＵＥと基地局１の間のランダムアクセス手続きは、独立している。基地局は、複数のＵＥから送信されるランダムアクセス要求を同時に処理することがある。ｅＮＢなどの基地局デバイスは１つまたは複数のセルを管理することがあり、このことは本発明のこの実施形態に限定されないことを理解されることができる。
【００３９】
一般に、ランダムアクセス手続きのステップは、Ｓ１００からＳ１０５を含む。
【００４０】
Ｓ１００：セルを発見した後で、ＵＥが、基地局から同報通信される同報通信メッセージを定期的に受信する。
【００４１】
同報通信メッセージは、物理ランダムアクセスチャネル（ｐｈｙｓｉｃａｌ  ｒａｎｄｏｍ  ａｃｃｅｓｓ  ｃｈａｎｎｅｌ、ＰＲＡＣＨ）の時間領域リソースおよび周波数領域リソース（「時間／周波数リソース」と略記する）、ならびにランダムアクセスプリアンブルの初期パワー一定値（ＣｏｎｓｔａｎｔＶａｌｕｅ）、ランダムアクセスプリアンブルのパワーランプステップ（ＰｏｗｅｒＲａｍｐＳｔｅｐ）、ランダムアクセスプリアンブルのランプの最大量（ＰｒｅａｍｂｌｅＲｅｔｒａｎｓＭａｘ）などのパラメータなど、ＵＥが利用可能なランダムアクセスリソースを含む。
【００４２】
Ｓ１０１：ＵＥが、ランダムアクセス要求メッセージを基地局に送信する。
【００４３】
ランダムアクセス要求メッセージは、プリアンブル（ｐｒｅａｍｂｌｅ）の形態で送信されることがある。プリアンブル、プリアンブルのランダムアクセスチャネル（ｒａｎｄｏｍ  ａｃｃｅｓｓ  ｃｈａｎｎｅｌ、ＲＡＣＨ）を持つＰＲＡＣＨの時間／周波数リソースなどのシーケンスは、同報通信メッセージによって搬送される関連する情報に従って決定されることがある。
【００４４】
Ｓ１０２：基地局が、ＰＤＣＣＨを使用して制御情報をＵＥに送信する。
【００４５】
Ｓ１０３：基地局が、ランダムアクセス応答（ｒａｎｄｏｍ  ａｃｃｅｓｓ  ｒｅｓｐｏｎｓｅ）メッセージをＵＥに送信する。
【００４６】
Ｓ１０４：ＵＥが、無線リソース制御接続要求（ｒａｄｉｏ  ｒｅｓｏｕｒｃｅ  ｃｏｍｍａｎｄ  ｃｏｎｎｅｃｔｉｏｎ  ｒｅｑｕｅｓｔ、ＲＲＣ  ｃｏｎｎｅｃｔｉｏｎ  ｒｅｑｕｅｓｔ）メッセージを送信する。
【００４７】
Ｓ１０５：基地局が、ＲＲＣ接続が確立されたことを確認し、確認メッセージ（ａｃｋｎｏｗｌｅｄｇｅｍｅｎｔ、ＡＣＫ）をＵＥに送信する。
【００４８】
ＬＴＥシステムでは、各フレーム（ｆｒａｍｅ）の持続時間は１０ｍｓであり、各フレームは、１０個のサブフレームに分割されることがあり、各サブフレームの持続時間は１ｍｓである。シグナリングまたはデータは、フレーム単位またはサブフレーム単位で伝送される。ＵＥがランダムアクセス手続き全体を完了して遊休状態から活動状態に入るには、約５０ｍｓかかり、これは、過度に長い伝送遅延である。短遅延サービスを担持するために上記の１ｍｓのフレームが使用される場合には、短遅延サービスの要件が満たされることができない。したがって、短遅延サービスを実行するために仮想マルチキャリアアグリゲーション技術が使用されるときには、対応するランダムアクセス手続きが設計される必要がある。
【００４９】
図２は、本発明の実施形態によるランダムアクセス方法についてのフローチャートである。この方法は、短サブフレームサービスにアクセスするために使用される。
【００５０】
この方法は、ＵＥまたは同様の端末デバイスによって実行されることがある。
【００５１】
短サブフレームサービスにアクセスするとは、ＵＥが、基地局によって提供される短サブフレームサービスを取得し、その短サブフレームサービスのデータを基地局と交換することができることを意味する。このデータは、制御データおよびサービスデータを含む。
【００５２】
任意選択で、短サブフレームサービスを求めるこのＵＥのランダムアクセス手続きが開始される前に、ＵＥと基地局の間のデータ伝送が、通常サブフレームで、すなわち１ｍｓサブフレームに対応する伝送リソースで実行されることがある。この場合には、短サブフレームサービスは、このランダムアクセス手続きを使用してトリガされる。あるいは、ＵＥと基地局の間のデータ伝送は、短サブフレームで実行されることがあり、この場合には、ランダムアクセス手続きを使用して、別のタイプの短サブフレームサービスが実行されることがある。
【００５３】
図２に示されるように、この方法は、ステップＳ２０１からＳ２０２を含む。
【００５４】
Ｓ２０１：ＵＥが、短サブフレームサービス情報を搬送するランダムアクセス要求メッセージを基地局に送信する。ここで、この短サブフレームサービス情報は、ランダムアクセス手続きがトリガされた後でＵＥが短サブフレームサービスを実行しようとしていることを示し、短サブフレームの持続時間は１ミリ秒未満である。
【００５５】
短サブフレームサービスを実行するとは、ＵＥと基地局の間の短サブフレームサービスのデータの伝送を意味する。任意選択で、ランダムアクセス手続きがトリガされた後で短サブフレームサービスを実行することは、短サブフレームサービスのデータの伝送が、例えばランダムアクセス要求メッセージの伝送が完了した後、もしくはランダムアクセス手続きのいくつかのステップが完了した後に実行されるなど、ランダムアクセス手続きの進行中のプロセス中に開始されることがあり得ることであることがあり、または、短サブフレームサービスのデータの伝送が、ランダムアクセス手続き全体が完了した後で開始されることがあり得ることであることがある。これは、本発明のこの実施形態に限定されない。
【００５６】
任意選択で、短サブフレームの持続時間は、０ミリ秒より大きく１ミリ秒未満の任意の値であり得、例えば、０．１ミリ秒、０．２ミリ秒、０．５ミリ秒、または１個から７個のＯＦＤＭシンボルの長さであることがある。具体的には、持続時間は、短遅延サービスのサービスタイプおよびサービス要件に従って決定されることがある。これは、本発明のこの実施形態に特に限定されるわけではない。
【００５７】
Ｓ２０２：ＵＥと基地局とが、ランダムアクセス要求メッセージの伝送が完了した後で、ランダムアクセス手続きの残りのメッセージを交換する。ここで、残りのメッセージは、短サブフレームサービスに対応するリソースを介して伝送され、このリソースは、ＵＥが短サブフレームサービスを実行するように基地局によって構成された時間領域リソースおよび周波数領域リソースを含む。
【００５８】
この時間領域リソースおよび周波数領域リソースは、物理レイヤリソースであり、短サブフレームサービスに対応するリソースは、論理チャネル、伝送チャネルおよび他のリソースなど、上位レイヤリソースをさらに含むことがあることを理解されることができる。
【００５９】
任意選択で、ＵＥが短サブフレームサービスを実行するように基地局が時間領域リソースおよび周波数領域リソースを構成することは、基地局が、ＵＥから送信されたランダムアクセス要求メッセージを受信した後でランダムアクセスパラメータをＵＥに送信することを含み、ランダムアクセスパラメータは、ＵＥが短サブフレームのデータを送信するときに利用可能な時間領域リソースおよび周波数領域リソースを示すために使用される。
【００６０】
具体的には、Ｓ２０２は、Ｓ２０２１からＳ２０２４を含むことがある。
【００６１】
Ｓ２０２１：基地局が、ダウンリンク制御チャネルを使用してＵＥに制御情報を送信する。ここで、ダウンリンク制御チャネルの物理リソースは、短サブフレームサービスに対応している。
【００６２】
例えば、通常サブフレームサービスに対応するランダムアクセス手続きでは、ダウンリンク制御チャネルは、１個から３個のＯＦＤＭシンボルの時間領域リソースを占有し、各ＯＦＤＭシンボルの遅延は、約０．０７ｍｓである。したがって、制御情報の伝送遅延は、０．０７ｍｓから０．２１ｍｓである。短サブフレームサービスに対応するダウンリンク制御チャネルは、短サブフレームに対応する１個から３個のシンボルの時間／周波数リソースを占有し、制御情報の伝送遅延は、短サブフレームに対応するシンボルの持続時間に対応している。例えば、短サブフレームの持続時間は０．２ｍｓであり、各短サブフレームは１０個のシンボルを含み、短サブフレームに対応する各シンボルの遅延は０．０２ｍｓである。したがって、制御情報の伝送遅延は、０．０２ｍｓから０．０６ｍｓである。この例では、ダウンリンク制御チャネルの量および短サブフレームに含まれるシンボルの量は両方とも例示のための例であり、実際のサービスで必要とされる構成が優先することに留意されたい。
【００６３】
Ｓ２０２２：基地局が、ランダムアクセス応答メッセージをＵＥに送信する。
【００６４】
Ｓ２０２３：ＵＥが、無線リソース制御接続要求メッセージを基地局に送信する。
【００６５】
Ｓ２０２４：基地局が、ＲＲＣ接続が確立されたことを確認し、確認メッセージをＵＥに送信する。
【００６６】
Ｓ２０２１と同様に、Ｓ２０２２からＳ２０２４の全てのタイプのメッセージは、伝送遅延を短縮するために短サブフレームサービスに対応するリソースを介して伝送されることもあるが、詳細については本明細書ではこれ以上説明しない。
【００６７】
任意選択で、ステップＳ２０１の前に、この方法は、ステップＳ２００をさらに含むことがある。
ＵＥが、基地局から同報通信された同報通信メッセージを受信する。ここで、同報通信メッセージは、ＵＥがランダムアクセス手続きを実行するように基地局によって構成された時間領域リソースおよび周波数領域リソースについての情報を含む。具体的には、このランダムアクセス手続きの時間領域リソースおよび周波数領域リソースは、ＵＥのランダムアクセス要求メッセージを持つＰＲＡＣＨの時間／周波数リソースであり得る。
【００６８】
本発明のこの実施形態で提供されるランダムアクセス方法では、ＵＥは、短サブフレームサービス情報を搬送するランダムアクセス要求メッセージを基地局に送信する。短サブフレームサービス情報は、ランダムアクセス手続きがトリガされた後でＵＥが短サブフレームサービスを実行しようとしていることを示し、短サブフレームの持続時間は１ミリ秒未満である。ランダムアクセス要求メッセージの伝送が完了した後で、ＵＥと基地局とは、短サブフレームサービスに対応するリソースを介してランダムアクセス手続きの残りのメッセージを交換する。より短いランダムアクセス手続きの設計は、ＵＥが遊休状態から活動状態に入るための遅延を短縮し、ランダムアクセス手続き全体に必要な時間を短縮するようにする。短遅延サービスの遅延要件が満たされる。
【００６９】
図３に示されるように、本発明の実施形態は、ステップＳ３０１からＳ３０２を含むランダムアクセス方法をさらに提供する。
【００７０】
Ｓ３０１：ＵＥが、第１のランダムアクセスチャネルを介して第１のプリアンブルを基地局に送信する。ここで、第１のプリアンブルのビットは０番目からＮ番目のビットであり、Ｎ≧６４であり、Ｎは整数である。
【００７１】
第１のプリアンブルは、第１のグループのプリアンブルおよび第２のグループのプリアンブルを含み、ここで、第１のグループのプリアンブルは、プリアンブルの０番目から６３番目のビットを含み、第２のグループのプリアンブルは、プリアンブルの６４番目からＮ番目のビットを含み、第２のグループのプリアンブルは、ランダムアクセス手続きがトリガされた後でＵＥが短サブフレームサービスを実行しようとしていると決定するために基地局によって使用される。
【００７２】
具体的には、ＵＥは、ＬＴＥシステムのＰＲＡＣＨを使用して、ランダムアクセス要求メッセージを基地局に送信する。すなわち、第１のランダムアクセスチャネルを持つＰＲＡＣＨの時間／周波数リソースは、ランダムアクセス手続きにおいて通常サブフレームサービスにアクセスするためにＵＥによって使用されるＰＲＡＣＨの時間／周波数リソースと同じである。ＬＴＥシステムで使用される６４ビットプリアンブルシーケンスは維持され、これに基づき、プリアンブルが拡張として追加される。拡張プリアンブルは、短サブフレームサービスを示すために使用される。拡張プリアンブルのビット量は、短サブフレームユーザの量に従って調節されることがある。ユーザの量が多くなれば、拡張ビットの量も多くなる。これは、複数のＵＥの同時アクセス中に起こることがある衝突問題を解決するためである。
【００７３】
任意選択で、基地局は、異なるシーケンスを使用して、第１のグループのプリアンブルと第２のグループのプリアンブルとを規定し、区別することがある。特に、短サブフレームサービスを示すために、特定のシーケンスが使用される。このようにして、ＵＥから送信された第２のグループのプリアンブルを受信した後で、基地局は、ＵＥが短サブフレームサービスを実行しようとしていることを分かることができる。
【００７４】
Ｓ３０２：ＵＥが、短サブフレームに対応するリソースを介して、ランダムアクセス要求メッセージの後続のランダムアクセス手続きの他の関連するメッセージの伝送を完了する。
【００７５】
ランダムアクセス手続きの後続のプロセスに必要とされる時間は、短サブフレームの持続時間に基づいて計算されることは理解されることができる。
【００７６】
他のランダムアクセスステップの実行順序および具体的な内容については、図２に示される実施形態の説明が参照されることがあり、詳細は本明細書では重ねて説明されない。
【００７７】
任意選択で、Ｓ３０１の前に、この方法は、ステップＳ３００をさらに含むことがある。ＵＥが、基地局から同報通信された同報通信メッセージを受信する。ここで、同報通信メッセージは、第１のグループのプリアンブルについての情報、および第２のグループのプリアンブルについての情報を含む。
【００７８】
任意選択で、同報通信メッセージは、指示情報を含む。指示情報は、情報要素（ｉｎｆｏｒｍａｔｉｏｎ  ｅｌｅｍｅｎｔ、ＩＥ）の形態で送信されることがあり、指示情報は、第２のグループのプリアンブルのうちのプリアンブルの各ビットの対応する位置を決定するために使用される。この場合は、５Ｇシステムの短遅延サービスをサポートしていないＵＥについては、第２のグループのプリアンブルについての情報は認識されることができないが、第１のグループのプリアンブルについての情報は依然として受信されることができ、構文解析されることができる。しかし、５Ｇ通信システムの短遅延サービスをサポートしているＵＥは、第１のグループのプリアンブルについての情報および第２のグループのプリアンブルについての情報を認識し、構文解析することができ、サービス要件に従って第２のグループのプリアンブルを送信用プリアンブルに追加するかどうかを決定することができる。
【００７９】
任意選択で、第１のグループのプリアンブルは、さらに、グループＡおよびグループＢに分割されることがある。すなわち、グループＡおよびグループＢのプリアンブルビットの量の合計が６４ビット、すなわちプリアンブルの０番目から６３番目のビットである。第２のグループのプリアンブルは、プリアンブルの６４番目からＮ番目のビットを含むグループＣと表されることがある。グループＡについての情報は、同報通信メッセージにおいてＵＥに送達されることがあり、ＵＥは、グループＡについての情報に従ってグループＢの内容を導出することがある。
【００８０】
任意選択で、同報通信メッセージは、システム情報ブロック（ｓｙｓｔｅｍ  ｉｎｆｏｒｍａｔｉｏｎ  ｂｌｏｃｋ、ＳＩＢ）の形態で送達されることがあり、例えば、ＬＴＥシステムによって使用するように指定されたＳＩＢ２メッセージであることがある。
【００８１】
任意選択で、Ｓ３００は、Ｓ３００’で置換されることがある。Ｓ３００’：ＵＥが、基地局から同報通信されたシステム情報を受信する。ここで、システム情報は、短サブフレームサービスに関連するランダムアクセス情報を別個に示すために使用される。
【００８２】
システム情報は、基地局によってＵＥのランダムアクセス手続きに割り当てられる時間／周波数リソースを示すために使用される指示情報を含み、この時間／周波数リソースは、第１のランダムアクセスチャネルを持つＰＲＡＣＨの時間／周波数リソースを含む。システム情報は、アップリンクパワー制御および他の情報に関連するパラメータをさらに含むことがある。システム情報は、第２のグループのプリアンブルに関連する情報をさらに含む。
【００８３】
システム情報は、ＳＩＢ２メッセージに加えて基地局によって追加されるシステム情報の一片であることがある。
【００８４】
本発明のこの実施形態で説明されるランダムアクセス方法では、拡張プリアンブルは、ＵＥが短サブフレームサービスにアクセスしようとしていることを示すためにランダムアクセス要求段階で使用され、次いで、ランダムアクセス手続き全体が、短サブフレームサービスに対応するリソースを介して完了される。このようにして、ランダムアクセス手続きの遅延が短縮され、短遅延サービスの遅延要件が満たされる。さらに、この実施形態の方法は、一方では、ＬＴＥシステムのランダムアクセス手続きとの互換性を維持し、他方では、短サブフレームサービスのための十分な拡張プリアンブルを取得して、複数のＵＥの同時アクセス中に起こることがあるランダムアクセス衝突問題を解決することができる。
【００８５】
図４に示されるように、本発明の実施形態は、ステップＳ４０１からＳ４０３を含むランダムアクセス方法をさらに提供する。
【００８６】
Ｓ４０１：ＵＥが、第２のランダムアクセスチャネルを介して第２のプリアンブルを基地局に送信する。ここで、第２のプリアンブルのビットは、０番目から６３番目のビットであり、第２のランダムアクセスチャネルを持つＰＲＡＣＨの時間領域リソースのサイズは、１ミリ秒である。
【００８７】
第２のランダムアクセスチャネルを持つＰＲＡＣＨの時間領域リソースおよび／または周波数領域リソースの位置は、通常ＰＲＡＣＨのそれとは異なる。通常ＰＲＡＣＨは、ランダムアクセス手続きにおいて通常サブフレームサービスにアクセスするために使用される物理ランダムアクセスチャネルである。時間領域リソースおよび／または周波数領域リソースの位置は、ランダムアクセス手続きがトリガされた後でＵＥが短サブフレームサービスを実行しようとしていると決定するために、基地局によって使用される。
【００８８】
具体的には、第２のランダムアクセスチャネル用に構成された時間／周波数リソースの位置は、リソース構成図（図９に示される）を使用して図示される。この図に示されるように、横軸は時間領域リソースを表し、縦軸は周波数領域リソースを表す。ＰＲＡＣＨ１は、通常ランダムアクセスチャネルを持つ物理ランダムアクセスチャネルを表し、ＰＲＡＣＨ１と記されている長方形は、ＰＲＡＣＨ１によって占有されるリソースの合計を表す。ＰＲＡＣＨ２は、第２のランダムアクセスチャネルを持つ物理ランダムアクセスチャネルを表す。ＰＲＡＣＨ１の送信期間では、ＰＲＡＣＨ２は、任意の位置に設定されることがある。この図に示されるように、ＰＲＡＣＨ２は、ＰＲＡＣＨ１と同じ周波数領域リソース位置には設定されないことがあるが、ＰＲＡＣＨ１と同じ時間領域リソース位置には設定されることがある。任意選択で、この図には示されていないが、あるいは、ＰＲＡＣＨ２は、ＰＲＡＣＨ１と同じ時間／周波数リソース位置に設定されないことがあり、またＰＲＡＣＨ１と同じ周波数領域リソース位置にも設定されないことがあり、またはＰＲＡＣＨ１と同じ時間／周波数リソース位置には設定されないことがあるが、ＰＲＡＣＨ１と同じ周波数領域リソース位置には設定されることがある。
【００８９】
ＬＴＥシステムとの互換性を維持するために、第２のランダムアクセスチャネルを持つＰＲＡＣＨの時間領域リソースおよび周波数領域リソースのサイズは、通常ランダムアクセスチャネルを持つＰＲＡＣＨのそれらと同じままであり、時間領域リソースは１ｍｓ、すなわち通常サブフレームの持続時間である。さらに、ＬＴＥシステム用に指定される６４ビットプリアンブルシーケンスが、第２のプリアンブルとして使用される。
【００９０】
Ｓ４０２：ＵＥが、短サブフレームに対応するリソースを介して、ランダムアクセス要求メッセージの後続のランダムアクセス手続きの他の関連するメッセージの伝送を完了する。
【００９１】
ＵＥは、基地局から送信されるランダムアクセスパラメータから短サブフレームに対応するリソースを取得することがある。例えば、短サブフレームサービスのデータを伝送するために使用される周波数領域リソースおよび時間領域リソースは、それぞれＰＲＡＣＨ−ＦｒｅｑｕｅｎｃｙＯｆｆｓｅｔ（ＰＲＡＣＨ周波数オフセット）およびＰＲＡＣＨ−ＣｏｎｆｉｇｕｒａｔｉｏｎＩｎｄｅｘ（ＰＲＡＣＨ構成インデックス）に規定される。ランダムアクセスパラメータは、さらに、短サブフレームサービスにアクセスするためのランダムアクセス手続きのランダムアクセスリソース情報を搬送することがある。すなわち、ランダムアクセス手続きが終了した後で、短サブフレームサービスを求めるランダムアクセス手続きのランダムアクセス要求メッセージを含む全てのメッセージが、短サブフレームに対応するリソースで伝送されることがある。
【００９２】
他のランダムアクセスステップの実行順序および具体的な内容については、図２に示される実施形態の説明が参照されることがあり、詳細は本明細書では重ねて説明されない。
【００９３】
任意選択で、Ｓ４０１の前に、この方法は、Ｓ４００をさらに含むことがある。ＵＥが、基地局から同報通信されたシステム情報を受信する。ここで、システム情報は、短サブフレームサービスに関連するランダムアクセス情報を別個に示すために使用される。
【００９４】
システム情報は、ＵＥのランダムアクセス手続きのために基地局によって割り当てられる時間／周波数リソースを示すために使用される指示情報を含み、この時間／周波数リソースは、第２のランダムアクセスチャネルを持つＰＲＡＣＨの時間／周波数リソースを含む。システム情報は、アップリンクパワー制御および他の情報に関連するパラメータをさらに含むことがある。
【００９５】
システム情報は、ＳＩＢ２メッセージに加えて基地局によって追加されるシステム情報の一片であることがある。
【００９６】
任意選択で、ランダムアクセスの確率を改善し、待機時間を短縮するために、ランダムアクセスリソースの構成頻度が増大されることがある。最大頻度は、１ｍｓごとに１つの前述のＰＲＡＣＨが構成されるように設計されることがある。対応する情報は、ＰＲＡＣＨ−ｆｒｅｑｕｅｎｃｙｏｆｆｓｅｔまたはＰＲＡＣＨ−ＣｏｎｆｉｇｕｒａｔｉｏｎＩｎｄｅｘパラメータなど関連するランダムアクセスパラメータで修正されることがある。
【００９７】
物理レイヤリソースが再構成されたランダムアクセスチャネルを介してプリアンブルを送信し、短サブフレームに対応する時間／周波数リソースを介してランダムアクセス手続きの後続のプロセスを完了することにより、短サブフレームの持続時間が、ランダムアクセス手続き全体の遅延に直接の影響を有する。ランダムアクセス要求メッセージを送信する際の遅延が約１ｍｓであり、後続のステップの遅延が短サブフレームの持続時間に基づいて計算されることが、試験から分かっている。短サブフレームの持続時間が０．５ｍｓになるように設計される場合には、後続のステップの遅延は約１５ｍｓであり、総遅延は１６ｍｓである。短サブフレームの持続時間が０．１ｍｓになるように設計される場合には、後続のステップの遅延は約３ｍｓであり、総遅延は４ｍｓである。短サブフレームの持続時間が０．１ｍｓと０．５ｍｓの間である場合には、総遅延は４ｍｓと１６ｍｓの間である。
【００９８】
本発明のこの実施形態で提供されるランダムアクセス方法では、ＰＲＡＣＨの物理レイヤリソースを再構成することによって、短サブフレームサービスの物理レイヤランダムアクセスリソースの物理レイヤ時間領域位置および／または周波数領域位置が、通常サブフレームサービスのランダムアクセスリソースのそれと互い違いにされ、ＵＥが短サブフレームサービスにアクセスしようとしていることがランダムアクセス要求段階で示され、ランダムアクセス手続き全体が短サブフレームサービスに対応するリソースを介して完了される。このように、ランダムアクセス手続きの遅延が短縮され、短遅延サービスの遅延要件が満たされる。この実施形態の方法を使用することは、ＬＴＥシステムとの互換性を維持し、エアインタフェース遅延を短縮することができる。
【００９９】
図５に示されるように、本発明の実施形態は、ステップＳ５００からＳ５０２を含むランダムアクセス方法をさらに提供する。
【０１００】
Ｓ５００：ＵＥが、基地局から同報通信されたシステム情報を受信する。ここで、システム情報は、短サブフレームサービスに関連するランダムアクセス情報を別個に示すために使用される。
【０１０１】
具体的には、基地局は、ＳＩＢ２メッセージに加えてシステム情報の一片を追加することがあり、このシステム情報を同報通信のやり方でＵＥに送達する。このシステム情報は、以下の第３のランダムアクセスチャネルを持つＰＲＡＣＨの時間／周波数リソースなど、ランダムアクセス手続きのために割り当てられた時間／周波数リソースを示すために使用される指示情報を含む。このシステム情報は、アップリンクパワー制御および他の情報に関連するパラメータをさらに含むことがある。
【０１０２】
本発明のこの実施形態では、基地局によって出されるセルを発見した後で、ＵＥが基地局から同報通信されたシステム情報を定期的に受信することがあることは理解されることができる。
【０１０３】
Ｓ５０１：ＵＥが、第３のランダムアクセスチャネルを介して第３のプリアンブルを基地局に送信する。ここで、第３のランダムアクセスチャネルを担持するＰＲＡＣＨは、少なくとも１つの直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル（ｓｙｍｂｏｌ）の時間領域リソースを占有し、第３のランダムアクセスチャネルを担持するＰＲＡＣＨによって占有される時間領域リソースは、ランダムアクセス手続きがトリガされた後でＵＥが短サブフレームサービスを実行しようとしていることを示す。
【０１０４】
例えば、第３のランダムアクセスチャネルを持つＰＲＡＣＨは、２個のＯＦＤＭシンボルの時間領域リソースおよび６個のＲＢの周波数領域リソースを占有することがある、または１個のＯＦＤＭシンボルの時間領域リソースおよび１２個のＲＢの周波数領域リソースを占有することがある。１個のＯＦＤＭシンボルの時間領域リソースおよび１２個のＲＢの周波数領域リソースが使用される場合には、構成４のプリアンブルは変更されないが、プリアンブル送信遅延をさらに短くするように、同じ情報ボリュームのプリアンブルを持つために、より多くの周波数領域リソースが使用されることができる。
【０１０５】
具体的には、ＬＴＥシステムでは、構成０、構成１、…および構成４で表される５つのタイプのランダムシーケンス時間領域リソースの構成があり、各構成は、異なるサイズの時間領域リソースを有する。構成４は、時分割二重（ｔｉｍｅ  ｄｉｖｉｓｉｏｎ  ｄｕｐｌｅｘ、ＴＤＤ）のための特殊な構成であり、ここで、ＰＲＡＣＨは、２個のＯＦＤＭシンボルの時間領域リソースおよび６個のＲＢの周波数領域リソースのみを占有する。この実施形態では、構成４のプリアンブルは、第３のプリアンブルとして使用される。任意選択で、１ｍｓフレームでランダムアクセスリソースが１つしか構成されない場合、すなわちＵＥが１ｍｓごとに１つのランダムアクセス要求メッセージを送信することを許されている場合には、ランダムアクセス手続きが完了した後で直ちに短サブフレームサービスが実行されることがあるようにするために、第３のプリアンブルを持つ第３のランダムアクセスチャネルは、この１ｍｓの最後の２つのＯＦＤＭシンボルに構成されることがある。
【０１０６】
Ｓ５０２：ＵＥが、短サブフレームに対応するリソースを介してランダムアクセス要求メッセージの後続のランダムアクセス手続きの他の関連するメッセージの伝送を完了する。
【０１０７】
他のランダムアクセスステップの実行順序および具体的な内容については、本発明の別の実施形態の関連する説明が参照されることがあり、詳細は本明細書では重ねて説明されない。
【０１０８】
本発明のこの実施形態では、基地局は、ＵＥに送信されるランダムアクセスパラメータで構成４の関連する情報を搬送して、ＵＥが構成４のプリアンブルシーケンスを短遅延サービスにアクセスするためのランダムアクセス要求手続きのプリアンブルとして使用することがあることを示す。ＵＥは、それ自体の必要に応じて、すなわち短サブフレームサービスが実行されるかどうかに応じて、構成４のプリアンブルシーケンスをランダムアクセス要求メッセージを送信するためのプリアンブルとして使用するかどうかを決定する。このように、基地局は、受信されるプリアンブルの構成の仕方に従って、ＵＥが短サブフレームサービスを実行しようとしていることを学習することがあり、ランダムアクセス手続きの残りのメッセージのさらなる伝送は、短サブフレームサービスに対応する時間／周波数リソースを介して実行されて、ランダムアクセス手続きの遅延を短縮する。
【０１０９】
任意選択で、構成５がこの５つのタイプの構成に追加されることがあり、短サブフレームサービスが構成５によって示される。具体的には、周波数領域リソースを増大させずに遅延を短縮するために、構成５に対応するプリアンブルシーケンスとして、より短いプリアンブルが構成されなければならない。基地局は、同報通信システム情報に関連する指示を追加して、構成５を使用したプリアンブルが短サブフレームサービスを示すために現在のランダムアクセスのプリアンブルとして使用されることがあることをＵＥに対して示すことがある。
【０１１０】
任意選択で、第３のランダムアクセスチャネルの構成頻度が増大されることがある。最大頻度は、第３のアクセスチャネルが、完全に第３のランダムアクセスチャネルが利用可能な時間領域リソースで構成されることである。異なる量の第３のランダムアクセスチャネルは、短サブフレームの異なる時間領域リソースに従って構成されるが、これは本発明のこの実施形態に限定されない。例えば、ランダムアクセスチャネルが、約０．１４ｍｓの持続時間と等価な２個のＯＦＤＭシンボルの時間領域リソースを占有する場合には、３つ未満の第３のランダムアクセスチャネルが、０．５ｍｓの短サブフレームのそれぞれで構成されることがある。完全構成が選択された場合には、３つの第３のランダムアクセスチャネルが構成されることがある。０．２ｍｓの短サブフレームのそれぞれでは、第３のランダムアクセスチャネルは１つしか構成されることができない。ランダムアクセス要求メッセージを送信する頻度を増大させることにより、ランダムアクセス待機遅延が短縮されることができ、ランダムアクセスの成功率が増大され、ランダムアクセス手続き全体の遅延を短縮することができるようにする。
【０１１１】
任意選択で、第３のプリアンブルは、既存のＬＴＥシステムで指定される６４ビットプリアンブル、または図２の実施形態に示されるＮビットに拡張されたプリアンブルを使用することがある。Ｎビットに拡張されたプリアンブルが使用される場合には、基地局は、第３のプリアンブルのシーケンス構成またはビット量に従って、ＵＥが短サブフレームサービスにアクセスしようとしていると決定することがある。本発明の別の実施形態の関連する説明が具体的に参照されることがあり、本明細書では詳細は重ねて説明されない。
【０１１２】
任意選択で、第３のプリアンブルが位置されるＰＲＡＣＨの時間／周波数リソースの位置は、ランダムアクセス手続きにおいて通常サブフレームサービスにアクセスするためにＵＥによって使用されるＰＲＡＣＨの時間／周波数リソースの位置と同じであることも、異なることもある。異なる時間／周波数リソース位置が使用される場合には、基地局は、第３のプリアンブルの時間／周波数リソース位置に従って、ＵＥが短サブフレームサービスにアクセスしようとしていると決定することがある。本発明の別の実施形態の関連する説明が具体的に参照されることがあり、本明細書では詳細は重ねて説明されない。
【０１１３】
本発明のこの実施形態で説明されるランダムアクセス方法では、ランダムアクセス要求段階でＵＥが短サブフレームサービスにアクセスしようとしていることを示すために特定の構成のプリアンブルシーケンスが使用され、さらに、ランダムアクセス手続き全体は、短サブフレームサービスに対応するリソースを介して完了される。このようにして、ランダムアクセス手続きの遅延が短縮され、短遅延サービスの遅延要件が満たされる。
【０１１４】
図６は、本発明の実施形態によるＵＥについての概略構造図である。ＵＥは、短サブフレームサービスにアクセスするように構成されることがある。
【０１１５】
ＵＥは、伝送ユニット６０１、処理ユニット６０２、および受信ユニット６０３を含む。図６に示されるように、これらのユニットは、バスを使用して接続されることがある。図６には示されていないが、これらのユニットは、あるいは、別の直接的または間接的接続の仕方を使用して接続されることがある。これは、本発明のこの実施形態に特に限定されない。
【０１１６】
伝送ユニット６０１は、短サブフレームサービス情報を搬送するランダムアクセス要求メッセージを基地局に送信するように構成され、ここで、短サブフレームサービス情報は、ランダムアクセス手続きがトリガされた後でＵＥが短サブフレームサービスを実行しようとしていることを示し、短サブフレームの持続時間は１ミリ秒未満である。
【０１１７】
短サブフレームサービスを実行するとは、ＵＥと基地局の間での短サブフレームサービスのデータの伝送を意味する。任意選択で、ランダムアクセス手続きがトリガされた後で短サブフレームサービスを実行することは、短サブフレームサービスのデータの伝送が、例えばランダムアクセス要求メッセージの伝送が完了した後、もしくはランダムアクセス手続きのいくつかのステップが完了した後に実行されるなど、ランダムアクセス手続きの進行中のプロセス中に開始されることがあり得ることであることがあり、または、短サブフレームサービスのデータの伝送が、ランダムアクセス手続き全体が完了した後で開始されることがあり得ることであることがある。これは、本発明のこの実施形態に限定されない。
【０１１８】
任意選択で、短サブフレームの持続時間は、０ミリ秒より大きく１ミリ秒未満の任意の値であることがあり、例えば、０．１ミリ秒、０．２ミリ秒、または０．５ミリ秒であることがある。具体的には、持続時間は、短遅延サービスのサービスタイプおよびサービス要件に従って決定されることがある。これは、本発明のこの実施形態に特に限定されない。
【０１１９】
処理ユニット６０２は、ランダムアクセス要求メッセージの伝送が完了した後で、伝送ユニット６０１に、短サブフレームサービスに対応するリソースを介してランダムアクセス手続きの残りのメッセージを伝送するように命令するように構成され、ここで、このリソースは、ＵＥが短サブフレームサービスを実行するように基地局によって構成された時間領域リソースおよび周波数領域リソースを含む。
【０１２０】
この時間領域リソースおよび周波数領域リソースは、物理リソースであり、短サブフレームサービスに対応するリソースは、論理チャネル、伝送チャネルおよび他のリソースなど、上位レイヤリソースをさらに含むことがあることを理解されることができる。
【０１２１】
具体的には、ランダムアクセス手続きの残りのメッセージは、ダウンリンクチャネル制御情報、ランダムアクセス応答メッセージ、無線リソース制御接続要求メッセージ、および確認メッセージなどを含む。これらのメッセージの伝送手続きの説明については、本発明の別の実施形態の説明が参照されることがあり、本明細書では詳細は重ねて説明されない。
【０１２２】
任意選択で、ＵＥは、基地局から送信されたランダムアクセスパラメータを受信するように構成された受信ユニット６０３をさらに含むことがあり、ここで、ランダムアクセスパラメータは、ＵＥが短サブフレームサービスのデータを送信するときに利用可能な時間領域リソースおよび周波数領域リソースを示すために使用される。
【０１２３】
任意選択で、受信ユニット６０３は、基地局から同報通信された同報通信メッセージを受信するようにさらに構成され、ここで、同報通信メッセージは、ＵＥがランダムアクセス手続きを実行するように基地局によって構成された時間領域リソースおよび周波数領域リソースについての情報を含む。
【０１２４】
本発明のこの実施形態で提供されるＵＥによれば、ＵＥは、短サブフレームサービス情報を搬送するランダムアクセス要求メッセージを基地局に送信し、ここで、短サブフレームサービス情報は、ランダムアクセス手続きがトリガされた後でＵＥが短サブフレームサービスを実行しようとしていることを示し、短サブフレームの持続時間は１ミリ秒未満である。ランダムアクセス要求メッセージの伝送が完了した後で、ＵＥと基地局とは、短サブフレームサービスに対応するリソースを介してランダムアクセス手続きの残りのメッセージを交換する。より短いランダムアクセス手続きの設計は、ＵＥが遊休状態から活動状態に入るための遅延を短縮し、ランダムアクセス手続き全体に必要とされる時間を短縮するようにする。短遅延サービスの遅延要件が満たされる。
【０１２５】
任意選択で、本発明の別の実施形態では、伝送ユニット６０１は、特に、第１のランダムアクセスチャネルを介して第１のプリアンブルを基地局に送信するように構成されることがあり、ここで、第１のプリアンブルのビットは、０番目からＮ番目のビットであり、Ｎ≧６４であり、Ｎは整数である。
【０１２６】
第１のプリアンブルは、第１のグループのプリアンブルおよび第２のグループのプリアンブルを含み、ここで、第１のグループのプリアンブルは、プリアンブルの０番目から６３番目のビットを含み、第２のグループのプリアンブルは、プリアンブルの６４番目からＮ番目のビットを含み、第２のグループのプリアンブルは、ランダムアクセス手続きがトリガされた後でＵＥが短サブフレームサービスを実行しようとしていると決定するために基地局によって使用される。
【０１２７】
第１のプリアンブルの具体的な内容、形成の仕方および送信プロセスについては、本発明の別の実施形態の関連する説明が参照されることがあり、本明細書では詳細は重ねて説明されない。
【０１２８】
任意選択で、受信ユニット６０３は、基地局から同報通信された同報通信メッセージを受信するように特に構成されることがあり、ここで、同報通信メッセージは、第１のグループのプリアンブルについての情報および第２のグループのプリアンブルについての情報を含む。
【０１２９】
任意選択で、基地局は、同報通信メッセージに１つの指示情報を追加することがある。指示情報は、情報要素（ｉｎｆｏｒｍａｔｉｏｎ  ｅｌｅｍｅｎｔ、ＩＥ）の形態で送信されることがあり、指示情報は、第２のグループのプリアンブルのうちのプリアンブルの各ビットの対応する位置を決定するために使用される。具体的な説明については、本発明の別の実施形態の関連する内容が参照されることがあり、本明細書では詳細は重ねて説明されない。
【０１３０】
任意選択で、受信ユニット６０３は、基地局から同報通信されたシステム情報を受信するように特に構成されることがあり、ここで、システム情報は、短サブフレームサービスに関連するランダムアクセス情報を別個に示すために使用される。システム情報は、ＵＥのランダムアクセス手続きのために基地局によって割り当てられる時間／周波数リソースを示すために使用される指示情報を含み、この時間／周波数リソースは、第１のランダムアクセスチャネルを持つＰＲＡＣＨの時間／周波数リソースを含む。システム情報は、アップリンクパワー制御および他の情報に関連するパラメータをさらに含むことがある。システム情報は、第２のグループのプリアンブルに関連する情報をさらに含む。
【０１３１】
ＵＥが短サブフレームサービスにアクセスしようとしていることを示すためにランダムアクセス要求段階で拡張プリアンブルを使用することにより、ランダムアクセス手続き全体が、短サブフレームサービスに対応するリソースを介して完了される。このようにして、ランダムアクセス手続きの遅延が短縮され、短遅延サービスの遅延要件が満たされる。さらに、この実施形態のＵＥを使用すると、一方では、ＬＴＥシステムのランダムアクセス手続きとの互換性を維持し、他方では、短サブフレームサービスのための十分な拡張プリアンブルを取得して、複数のＵＥの同時アクセス中に起こることがあるランダムアクセス衝突問題を解決することができるようにする。
【０１３２】
任意選択で、本発明の別の実施形態では、伝送ユニット６０１は、第２のランダムアクセスチャネルを介して第２のプリアンブルを基地局に送信するように特に構成されることがあり、ここで、第２のプリアンブルのビットは、０番目から６３番目のビットであり、第２のランダムアクセスチャネルを持つＰＲＡＣＨの時間領域リソースのサイズは、１ミリ秒である。
【０１３３】
第２のランダムアクセスチャネルを担持するＰＲＡＣＨの時間領域リソースおよび／または周波数領域リソースの位置は、通常ＰＲＡＣＨのそれとは異なる。通常ＰＲＡＣＨは、ランダムアクセス手続きにおいて通常サブフレームサービスにアクセスするために使用される物理ランダムアクセスチャネルである。時間領域リソースおよび／または周波数領域リソースの位置は、ランダムアクセス手続きがトリガされた後でＵＥが短サブフレームサービスを実行しようとしていると決定するために、基地局によって使用される。
【０１３４】
第２のランダムアクセスチャネルのために構成された時間／周波数リソースの具体的な説明については、本発明の別の実施形態の内容が参照されることがあり、本明細書では詳細は重ねて説明されない。
【０１３５】
ＬＴＥシステムとの互換性を維持するために、第２のランダムアクセスチャネルを持つＰＲＡＣＨの時間領域リソースおよび周波数領域リソースのサイズは、通常ランダムアクセスチャネルを持つＰＲＡＣＨのそれらと同じままであり、時間領域リソースは１ｍｓ、すなわち通常サブフレームの持続時間である。さらに、ＬＴＥシステム用に指定される６４ビットプリアンブルシーケンスが、第２のプリアンブルとして使用される。
【０１３６】
任意選択で、受信ユニット６０３は、基地局から送信されるランダムアクセスパラメータを受信して、短サブフレームサービスのデータを伝送するために必要とされる周波数領域リソースおよび時間領域リソースを取得するようにさらに構成されることがある。ランダムアクセスパラメータは、さらに、短サブフレームサービスにアクセスするためのランダムアクセス手続きのランダムアクセスリソース情報を搬送することがある。すなわち、ランダムアクセス手続きが終了した後で、短サブフレームサービスを求めるランダムアクセス手続きのランダムアクセス要求メッセージを含む全てのメッセージが、短サブフレームに対応するリソースで伝送されることがある。
【０１３７】
任意選択で、受信ユニット６０３は、基地局から同報通信されるシステム情報を受信するように特に構成されることがあり、システム情報は、短サブフレームサービスに関連するランダムアクセス情報を別個に示すために使用される。
【０１３８】
システム情報は、ランダムアクセス手続きのために割り当てられる時間／周波数リソースを示すために使用され、第２のランダムアクセスチャネルを持つＰＲＡＣＨの時間／周波数リソースを含む。本発明の別の実施形態の関連する説明が具体的に参照されることがあり、本明細書では詳細は重ねて説明されない。
【０１３９】
任意選択で、ランダムアクセスの確率を改善し、待機時間を短縮するために、ランダムアクセスリソースの構成頻度が増大されることがある。本発明の別の実施形態の関連する内容が具体的に参照されることがあり、本明細書では詳細は重ねて説明されない。
【０１４０】
ＰＲＡＣＨの物理レイヤリソースを再構成することによって、短サブフレームサービスの物理レイヤランダムアクセスリソースの物理レイヤ時間領域位置および／または周波数領域位置が、通常サブフレームサービスのランダムアクセスリソースのそれと互い違いにされ、ＵＥが短サブフレームサービスにアクセスしようとしていることがランダムアクセス要求段階で示され、ランダムアクセス手続き全体が短サブフレームサービスに対応するリソースを介して完了される。このように、ランダムアクセス手続きの遅延が短縮され、短遅延サービスの遅延要件が満たされる。さらに、この実施形態のＵＥを使用することは、ＬＴＥシステムとの互換性を維持し、エアインタフェース遅延を短縮することができる。
【０１４１】
任意選択で、本発明の別の実施形態では、伝送ユニット６０１は、第３のランダムアクセスチャネルを介して第３のプリアンブルを基地局に送信するように特に構成されることがあり、ここで、第３のランダムアクセスチャネルを持つＰＲＡＣＨは、少なくとも１つのＯＦＤＭシンボルの時間領域リソースを占有し、第３のランダムアクセスチャネルを担持するＰＲＡＣＨによって占有される時間領域リソースは、ランダムアクセス手続きがトリガされた後でＵＥが短サブフレームサービスを実行しようとしていることを示す。
【０１４２】
例えば、第３のランダムアクセスチャネルを持つＰＲＡＣＨは、２個のＯＦＤＭシンボルの時間領域リソースおよび６個のＲＢの周波数領域リソースを占有することがある、または１個のＯＦＤＭシンボルの時間領域リソースおよび１２個のＲＢの周波数領域リソースを占有することがある。１個のＯＦＤＭシンボルの時間領域リソースおよび１２個のＲＢの周波数領域リソースが使用される場合には、構成４のプリアンブルは変更されないが、プリアンブル送信遅延をさらに短縮するように、同じ情報ボリュームのプリアンブルを持つために、より多くの周波数領域リソースが使用されることができる。
【０１４３】
第３のランダムアクセスチャネルを担持するＰＲＡＣＨの時間領域リソースを選択する仕方の説明については、本発明の別の実施形態の関連する内容が参照されることがあり、本明細書では詳細は重ねて説明されない。
【０１４４】
受信ユニット６０３は、基地局によって同報通信のやり方で送達されるシステム情報を受信するように特に構成されることがあり、ここで、システム情報は、短サブフレームサービスに関連するランダムアクセス情報を別個に示すために使用される。
【０１４５】
システム情報は、第３のランダムアクセスチャネルを持つＰＲＡＣＨの時間／周波数リソースなど、ランダムアクセス手続きのために割り当てられた時間／周波数リソースを示すために使用される指示情報を含む。本発明の別の実施形態の関連する説明が具体的に参照されることがあり、本明細書では詳細は重ねて説明されない。
【０１４６】
任意選択で、第３のランダムアクセスチャネルの構成頻度が増大されることがある。最大頻度は、第３のアクセスチャネルが、完全に第３のランダムアクセスチャネルが利用可能な時間領域リソースで構成されることである。異なる量の第３のランダムアクセスチャネルは、短サブフレームの異なる時間領域リソースに従って構成されるが、これは本発明のこの実施形態に限定されない。本発明の別の実施形態の関連する内容が具体的に参照されることがあり、本明細書では詳細は重ねて説明されない。
【０１４７】
任意選択で、第３のプリアンブルは、既存のＬＴＥシステムで指定される６４ビットプリアンブル、または図２の実施形態に示されるＮビットに拡張されたプリアンブルを使用することがある。Ｎビットに拡張されたプリアンブルが使用される場合には、基地局は、第３のプリアンブルのシーケンス構成またはビット量に従って、ＵＥが短サブフレームサービスにアクセスしようとしていると決定することがある。本発明の別の実施形態の関連する説明が具体的に参照されることがあり、本明細書では詳細は重ねて説明されない。
【０１４８】
任意選択で、第３のプリアンブルが位置されるＰＲＡＣＨの時間／周波数リソースの位置は、ランダムアクセス手続きにおいて通常サブフレームサービスにアクセスするためにＵＥによって使用されるＰＲＡＣＨの時間／周波数リソースの位置と同じであることがあり、または、異なることがある。異なる時間／周波数リソース位置が使用される場合には、基地局は、第３のプリアンブルの時間／周波数リソース位置に従って、ＵＥが短サブフレームサービスにアクセスしようとしていると決定することがある。本発明の別の実施形態の関連する説明が具体的に参照されることがあり、本明細書では詳細は重ねて説明されない。
【０１４９】
本発明のこの実施形態で提供されるＵＥによれば、ランダムアクセス要求段階でＵＥが短サブフレームサービスにアクセスしようとしていることを示すために特定の構成のプリアンブルシーケンスが使用され、さらに、ランダムアクセス手続き全体は、短サブフレームサービスに対応するリソースを介して完了される。このようにして、ランダムアクセス手続きの遅延が短縮され、５Ｇ通信システムの短遅延サービスの遅延要件が満たされる。
【０１５０】
任意選択で、本発明の別の実施形態では、伝送ユニット６０１の機能は、伝送機によって実施されることがある。
【０１５１】
任意選択で、本発明の別の実施形態では、処理ユニット６０２の機能は、プロセッサによって実施されることがある。
【０１５２】
任意選択で、本発明の別の実施形態では、受信ユニット６０３の機能は、受信機によって実施されることがある。
【０１５３】
任意選択で、受信機および伝送機の機能は、トランシーバによって実施されることがある。これは、本発明のこの実施形態では特に制限されない。
【０１５４】
図７は、本発明の実施形態によるランダムアクセス方法を示す概略フローチャートである。この方法は、短サブフレームサービスにアクセスするために使用され、この方法は、ステップＳ７０１からＳ７０２を含む。
【０１５５】
Ｓ７０１：基地局が、ＵＥから送信される短サブフレームサービス情報を搬送するランダムアクセス要求メッセージを受信する。ここで、短サブフレームサービス情報は、ランダムアクセス手続きがトリガされた後でＵＥが短サブフレームサービスを実行しようとしていることを示し、短サブフレームの持続時間は１ミリ秒未満である。
【０１５６】
Ｓ７０２：基地局とＵＥとが、ランダムアクセス要求メッセージの伝送が完了した後で、ランダムアクセス手続きの残りのメッセージを交換する。ここで、残りのメッセージは、短サブフレームサービスに対応するリソースを介して伝送され、このリソースは、ＵＥが短サブフレームサービスを実行するように基地局によって構成された時間領域リソースおよび周波数領域リソースを含む。
【０１５７】
任意選択で、ランダムアクセス要求メッセージの伝送が完了した後で、基地局は、ランダムアクセスパラメータをＵＥに送信する。ランダムアクセスパラメータは、ＵＥが短サブフレームサービスのデータを送信するときに利用可能な時間領域リソースおよび周波数領域リソースを示すために使用される。
【０１５８】
この方法は、ステップＳ７００をさらに含むことがある。ステップＳ７００は、基地局がシステム情報をＵＥに同報通信することを含み、ここで、同報通信メッセージは、ＵＥがランダムアクセス手続きを実行するために構成された時間領域リソースおよび周波数領域リソースについての情報を含む。
【０１５９】
図７に示される実施形態で提供されるランダムアクセス方法のさらなる説明については、本発明の別の実施形態の関連する内容が参照されることがあり、本明細書では詳細は重ねて説明されない。
【０１６０】
図８は、本発明の実施形態による基地局についての概略構造図である。基地局は、短サブフレームサービスをＵＥに提供するように構成されることがある。
【０１６１】
基地局は、伝送ユニット８０１、処理ユニット８０２、および同報通信ユニット８０３を含む。図８に示されるように、これらのユニットは、バスを使用して接続されることがある。図８には示されていないが、これらのユニットは、別の直接的または間接的接続の仕方を使用して接続されることがある。これは、本発明のこの実施形態に特に限定されない。
【０１６２】
伝送ユニット８０１は、ユーザ機器ＵＥから送信され、短サブフレームサービス情報を搬送するランダムアクセス要求メッセージを受信するように構成され、ここで、短サブフレームサービス情報は、ランダムアクセス手続きがトリガされた後でＵＥが短サブフレームサービスを実行しようとしていることを示し、短サブフレームの持続時間は１ミリ秒未満である。
【０１６３】
処理ユニット８０２は、ランダムアクセス要求メッセージの伝送が完了した後で、伝送ユニット８０１に、短サブフレームサービスに対応するリソースを介してランダムアクセス手続きの残りのメッセージを伝送するように命令するように構成され、ここで、このリソースは、ＵＥが短サブフレームサービスを実行するように基地局によって構成された時間領域リソースおよび周波数領域リソースを含む。
【０１６４】
任意選択で、伝送ユニット８０１は、ランダムアクセスパラメータをＵＥに送信するようにさらに構成されることがあり、ここで、ランダムアクセスパラメータは、ＵＥが短サブフレームサービスのデータを送信するときに利用可能な時間領域リソースおよび周波数領域リソースを示すために使用される。
【０１６５】
任意選択で、基地局は、同報通信メッセージをＵＥに同報通信するように構成された同報通信ユニット８０３をさらに含み、ここで、同報通信メッセージは、ＵＥがランダムアクセス手続きを実行するように構成された時間領域リソースおよび周波数領域リソースについての情報を含む。
【０１６６】
図８に示される実施形態で提供される基地局のさらなる説明については、本発明の別の実施形態の関連する内容が参照されることがあり、本明細書では詳細は重ねて説明されない。
【０１６７】
任意選択で、本発明の別の実施形態では、伝送ユニット８０１の機能は、受信機によって実施されることがある。
【０１６８】
任意選択で、本発明の別の実施形態では、処理ユニット８０２の機能は、プロセッサによって実施されることがある。
【０１６９】
任意選択で、本発明の別の実施形態では、同報通信ユニット８０３の機能は、伝送機によって実施されることがある。
【０１７０】
任意選択で、受信機および伝送機の機能は、トランシーバによって実施されることがある。これは、本発明のこの実施形態では特に制限されない。
【０１７１】
上記の実施形態で提供されるランダムアクセス方法および基地局によれば、ＵＥは、短サブフレームサービス情報を搬送するランダムアクセス要求メッセージを基地局に送信し、ここで、短サブフレームサービス情報は、ランダムアクセス手続きがトリガされた後でＵＥが短サブフレームサービスを実行しようとしていることを示し、短サブフレームの持続時間は１ミリ秒未満である。ランダムアクセス要求メッセージの伝送が完了した後で、ＵＥと基地局とは、短サブフレームサービスに対応するリソースを介してランダムアクセス手続きの残りのメッセージを交換する。より短いランダムアクセス手続きの設計は、ＵＥが遊休状態から活動状態に入るための遅延を短縮し、ランダムアクセス手続き全体に必要とされる時間を短縮するようにする。短遅延サービスの遅延要件が満たされる。
【０１７２】
本発明の実施形態で説明されるプロセッサは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、離散ゲートもしくはトランジスタ論理デバイス、または離散ハードウェア構成要素であることがあり、本発明の実施形態で開示される方法、ステップ、および論理ブロック図を実施または実行することがあることは理解されることができる。汎用プロセッサは、マイクロプロセッサであることがあり、または、このプロセッサは、任意の従来のプロセッサ、デコーダなどであることがある。
【０１７３】
本発明の実施形態で提供される装置は、方法の実施形態に対応していることは理解されることができる。したがって、これらの装置は、上述の構造ユニットに限定されず、これらの方法の手続きに従って新たな構造ユニットが生成されることがある。詳細は、本明細書ではこれ以上説明されない。さらに、本発明の実施形態で提供される装置の構造ユニットは、独立して存在すること、または互いに一体化されていることがあり、これは本明細書で限定されない。
【０１７４】
当業者なら、本発明の実施形態どうしの間で相互参照が行われることがあることを完全に理解することができる。例えば、図６または図７に示される実施形態で提供される装置は、図２から図５に示される任意のランダムアクセス方法を実行することがあり、図２から図５に示される実施形態のランダムアクセス方法は、図６または図７に示される実施形態で提供される装置によって実行されることがある。説明を容易かつ明快にするために、本発明の実施形態で提供される装置のユニットの機能については、方法の実施形態の対応するステップが参照されることがあり、詳細はこれ以上説明されない。
【０１７５】
本発明の実施形態における「第１」、「第２」、「第３」などの記述は、単にオブジェクトを区別するためにのみ使用されているものであり、いかなる実行順序も暗示しておらず、または実行されるオブジェクトの優位性も示していないことは理解されることができる。これらの用語は、本発明の実施形態に対するいかなる限定にもならない。
【０１７６】
本発明の実施形態を参照して開示された方法のステップは、ハードウェア復号プロセッサによって直接実行され完了されることがあり、または、復号プロセッサのハードウェアとソフトウェアモジュールの組合せを使用して実行され完了されることがある。ソフトウェアモジュールは、ランダムアクセスメモリ、フラッシュメモリ、読取り専用メモリ、プログラマブル読取り専用メモリ、電気的消去可能プログラマブルメモリ、レジスタなど、当技術分野の成熟した記憶媒体に設置されることがある。記憶媒体は、メモリに位置され、復号ユニットは、メモリの情報を読み取り、復号ユニットのハードウェアと協働して上述の方法のステップを完了する。
【０１７７】
上述の実施形態の説明から、当業者なら、本発明がハードウェア、ファームウェアまたはそれらの組合せによって実施されることがあることを明白に理解することがある。本発明がソフトウェアによって実施されるときには、上述の機能は、コンピュータ可読媒体に記憶されることがあり、または、コンピュータ可読媒体において１つまたは複数の命令もしくはコードとして伝送されることがある。コンピュータ可読媒体は、コンピュータ記憶媒体および通信媒体を含み、ここで、通信媒体は、１つの場所から別の場所へのコンピュータプログラムの転送を容易にする任意の媒体を含む。記憶媒体は、コンピュータがアクセス可能な任意の利用可能な媒体であることがある。例えば、これらに限定されるわけではないが、コンピュータ可読媒体は、ＲＡＭ、ＲＯＭ、ＥＥＰＲＯＭ、ＣＤ−ＲＯＭもしくは別の光ディスク記憶装置、ディスク記憶媒体もしくは別の磁気記憶デバイス、または所期のプログラムコードを命令もしくはデータ構造形態で搬送もしくは記憶することができ、コンピュータによってアクセスされることができる他の任意の媒体を含むことがある。さらに、任意の接続は、コンピュータ可読媒体として適宜規定されることがある。例えば、ウェブサイト、サーバまたは別の遠隔ソースから、同軸ケーブル、光ファイバ／ケーブル、撚り対線、デジタル加入者回線（ＤＳＬ）、または赤外線、無線およびマイクロ波などのワイヤレス技術を使用してソフトウェアが伝送される場合には、これらの同軸ケーブル、光ファイバ／ケーブル、撚り対線、ＤＳＬ、または赤外線、無線およびマイクロ波などのワイヤレス技術は、媒体の定義に含まれる。例えば、本発明で使用されるディスク（Ｄｉｓｋ）およびディスク（Ｄｉｓｃ）は、コンパクトディスク（ＣＤ）、レーザディスク、光ディスク、デジタル汎用ディスク（ＤＶＤ）、フロッピーディスクおよびＢｌｕ−ｒａｙディスクを含み、ここで、ディスクは、一般にデータを磁気的に複製し、ディスクは、レーザを使用して光学的にデータを複製する。上述したものの組合せも、コンピュータ可読媒体の保護範囲に含まれるべきである。
【０１７８】
結論として、以上の説明は、本発明の技術的解決策の実施形態の単なる例に過ぎず、本発明の保護範囲を限定するように意図されたものではない。本発明の趣旨および原理を逸脱することなく行われるいかなる修正、等価な置換、または改良も、本発明の保護範囲内に含まれるものとする。
【図１】
2018510562.tif 000003
【図２】
2018510562.tif 000004
【図３】
2018510562.tif 000005
【図４】
2018510562.tif 000006
【図５】
2018510562.tif 000007
【図６】
2018510562.tif 000008
【図７】
2018510562.tif 000009
【図８】
2018510562.tif 000010
【図９】
2018510562.tif 000011
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
短サブフレームサービス情報を搬送するランダムアクセス要求メッセージを基地局に送信するように構成された伝送ユニットであって、前記短サブフレームサービス情報は、ランダムアクセス手続きがトリガされた後でＵＥが短サブフレームサービスを実行しようとしていることを示し、短サブフレームの持続時間は１ミリ秒未満である、伝送ユニットと、
前記ランダムアクセス要求メッセージの伝送が完了した後で、前記短サブフレームサービスに対応するリソースを介して前記ランダムアクセス手続きの残りのメッセージを伝送するように前記伝送ユニットに命令するように構成された処理ユニットであって、前記リソースは、前記ＵＥが前記短サブフレームサービスを実行するように前記基地局によって構成された時間領域リソースおよび周波数領域リソースを含む、処理ユニットと
を備えるユーザ機器ＵＥ。
【請求項２】
前記伝送ユニットは、
第１のランダムアクセスチャネルを介して第１のプリアンブルを前記基地局に送信するように構成され、前記第１のプリアンブルのビットは０番目からＮ番目のビットであり、Ｎ≧６４であり、Ｎは整数である請求項１に記載のＵＥ。
【請求項３】
前記第１のプリアンブルは、第１のグループのプリアンブルおよび第２のグループのプリアンブルを含み、前記第１のグループのプリアンブルは、プリアンブルの０番目から６３番目のビットを含み、前記第２のグループのプリアンブルは、プリアンブルの６４番目からＮ番目のビットを含み、前記第２のグループのプリアンブルは、前記基地局によって、前記ランダムアクセス手続きがトリガされた後で前記ＵＥが前記短サブフレームサービスを実行しようとしていると決定するために使用される請求項２に記載のＵＥ。
【請求項４】
前記伝送ユニットは、第２のランダムアクセスチャネルを介して第２のプリアンブルを前記基地局に送信するように構成され、前記第２のプリアンブルのビットは、０番目から６３番目のビットであり、前記第２のランダムアクセスチャネルを担持する物理ランダムアクセスチャネルの時間領域リソースのサイズは、１ミリ秒であり、
前記第２のランダムアクセスチャネルを持つ前記物理ランダムアクセスチャネルの時間領域リソースおよび／または周波数領域リソースの位置は、通常物理ランダムアクセスチャネルのそれと異なり、前記通常物理ランダムアクセスチャネルは、ランダムアクセス手続きにおいて通常サブフレームサービスにアクセスするために使用される物理ランダムアクセスチャネルであり、前記時間領域リソースおよび／または前記周波数領域リソースの前記位置は、前記基地局によって、前記ランダムアクセス手続きがトリガされた後で前記ＵＥが前記短サブフレームサービスを実行しようとしていると決定するために使用される請求項１に記載のＵＥ。
【請求項５】
前記伝送ユニットは、第３のランダムアクセスチャネルを介して第３のプリアンブルを前記基地局に送信するように構成され、前記第３のランダムアクセスチャネルを担持する物理ランダムアクセスチャネルは、少なくとも１つの直交周波数分割多重ＯＦＤＭシンボルの時間領域リソースを占有し、前記第３のランダムアクセスチャネルを持つ前記物理ランダムアクセスチャネルによって占有される前記時間領域リソースは、前記ランダムアクセス手続きがトリガされた後で前記ＵＥが前記短サブフレームサービスを実行しようとしていることを示す請求項１に記載のＵＥ。
【請求項６】
前記処理ユニットは、
前記第３のランダムアクセスチャネルの構成頻度を増大させるように構成され、前記構成頻度の最大値は、前記第３のアクセスチャネルが前記第３のランダムアクセスチャネルが利用可能な時間領域リソースに完全に構成されることである請求項５に記載のＵＥ。
【請求項７】
前記ＵＥは、前記基地局から送信されるランダムアクセスパラメータを受信するように構成された受信ユニットであって、前記ランダムアクセスパラメータは前記ＵＥが前記短サブフレームサービスのデータを送信するときに利用可能な時間領域リソースおよび周波数領域リソースを示すために使用される、受信ユニットをさらに備える請求項１乃至６のいずれか一項に記載のＵＥ。
【請求項８】
前記受信ユニットは、前記ＵＥが前記ランダムアクセス手続きを実行するように前記基地局によって構成された時間領域リソースおよび周波数領域リソースについての情報を受信するようにさらに構成され、前記情報は、前記基地局によって同報通信される請求項７に記載のＵＥ。
【請求項９】
ユーザ機器ＵＥから送信される、短サブフレームサービス情報を搬送するランダムアクセス要求メッセージを受信するように構成された伝送ユニットであって、前記短サブフレームサービス情報は、ランダムアクセス手続きがトリガされた後で前記ＵＥが短サブフレームサービスを実行しようとしていることを示し、短サブフレームの持続時間は１ミリ秒未満である、伝送ユニットと、
前記ランダムアクセス要求メッセージの伝送が完了した後で、前記短サブフレームサービスに対応するリソースを介して前記ランダムアクセス手続きの残りのメッセージを伝送するように前記伝送ユニットに命令するように構成された処理ユニットであって、前記リソースは、前記ＵＥが前記短サブフレームサービスを実行するように前記基地局によって構成された時間領域リソースおよび周波数領域リソースを含む、処理ユニットと
を備える基地局。
【請求項１０】
前記伝送ユニットは、ランダムアクセスパラメータを前記ＵＥに送信するようにさらに構成され、前記ランダムアクセスパラメータは、前記ＵＥが前記短サブフレームサービスのデータを送信するときに利用可能な時間領域リソースおよび周波数領域リソースを示すために使用される請求項９に記載の基地局。
【請求項１１】
同報通信メッセージを前記ＵＥに同報通信するように構成された同報通信ユニットをさらに備え、前記同報通信メッセージは、前記ＵＥが前記ランダムアクセス手続きを実行するように構成された前記時間領域リソースおよび前記周波数領域リソースについての情報を含む請求項９または１０に記載の基地局。
【請求項１２】
ランダムアクセス方法であり、短サブフレームサービスにアクセスするために使用される方法であって、
ユーザ機器ＵＥが、短サブフレームサービス情報を搬送するランダムアクセス要求メッセージを基地局に送信することであって、前記短サブフレームサービス情報は、ランダムアクセス手続きがトリガされた後で前記ＵＥが短サブフレームサービスを実行しようとしていることを示し、短サブフレームの持続時間は１ミリ秒未満である、送信することと、
前記ＵＥが、前記ランダムアクセス要求メッセージの伝送が完了した後で、前記ランダムアクセス手続きの残りのメッセージを伝送することであって、前記残りのメッセージは、前記短サブフレームサービスに対応するリソースを介して伝送され、前記リソースは、前記ＵＥが前記短サブフレームサービスを実行するように前記基地局によって構成された時間領域リソースおよび周波数領域リソースを含む、伝送することと
を含む方法。
【請求項１３】
ＵＥが短サブフレームサービス情報を搬送するランダムアクセス要求メッセージを基地局に前記送信することは、
前記ＵＥが第１のランダムアクセスチャネルを介して第１のプリアンブルを前記基地局に送信することであって、前記第１のプリアンブルのビットは０番目からＮ番目のビットであり、Ｎ≧６４であり、Ｎは整数である、送信することを含む請求項１２に記載の方法。
【請求項１４】
前記第１のプリアンブルは、第１のグループのプリアンブルおよび第２のグループのプリアンブルを含み、前記第１のグループのプリアンブルは、プリアンブルの０番目から６３番目のビットを含み、前記第２のグループのプリアンブルは、プリアンブルの６４番目からＮ番目のビットを含み、前記第２のグループのプリアンブルは、前記基地局によって、前記ランダムアクセス手続きがトリガされた後で前記ＵＥが前記短サブフレームサービスを実行しようとしていると決定するために使用される請求項１３に記載の方法。
【請求項１５】
ＵＥが短サブフレームサービス情報を搬送するランダムアクセス要求メッセージを基地局に前記送信することは、
前記ＵＥが第２のランダムアクセスチャネルを介して第２のプリアンブルを前記基地局に送信することであって、前記第２のプリアンブルのビットは、０番目から６３番目のビットであり、前記第２のランダムアクセスチャネルを担持する物理ランダムアクセスチャネルの時間領域リソースのサイズは、１ミリ秒である、送信することを含み、
前記第２のランダムアクセスチャネルを持つ前記物理ランダムアクセスチャネルの時間領域リソースおよび／または周波数領域リソースの位置は、通常物理ランダムアクセスチャネルのそれと異なり、前記通常物理ランダムアクセスチャネルは、ランダムアクセス手続きにおいて通常サブフレームサービスにアクセスするために使用される物理ランダムアクセスチャネルであり、前記時間領域リソースおよび／または前記周波数領域リソースの前記位置は、前記基地局によって、前記ランダムアクセス手続きがトリガされた後で前記ＵＥが前記短サブフレームサービスを実行しようとしていると決定するために使用される請求項１２に記載の方法。
【請求項１６】
ＵＥが短サブフレームサービス情報を搬送するランダムアクセス要求メッセージを基地局に前記送信することは、
前記ＵＥが第３のランダムアクセスチャネルを介して第３のプリアンブルを前記基地局に送信することであって、前記第３のランダムアクセスチャネルを担持する物理ランダムアクセスチャネルは、少なくとも１つの直交周波数分割多重ＯＦＤＭシンボルの時間領域リソースを占有し、前記第３のランダムアクセスチャネルを持つ前記物理ランダムアクセスチャネルによって占有される前記時間領域リソースは、前記ランダムアクセス手続きがトリガされた後で前記ＵＥが前記短サブフレームサービスを実行しようとしていることを示す、送信することを含む請求項１２に記載の方法。
【請求項１７】
前記第３のランダムアクセスチャネルの構成頻度を増大させることであって、前記構成頻度の最大値は、前記第３のアクセスチャネルが前記第３のランダムアクセスチャネルが利用可能な時間領域リソースに完全に構成されることである、増大させることをさらに含む請求項１６に記載の方法。
【請求項１８】
前記ＵＥが、前記基地局から送信されるランダムアクセスパラメータを受信することであって、前記ランダムアクセスパラメータは前記ＵＥが前記短サブフレームサービスのデータを送信するときに利用可能な時間領域リソースおよび周波数領域リソースを示すために使用される、受信することをさらに含む請求項１２乃至１７のいずれか一項に記載の方法。
【請求項１９】
ＵＥが短サブフレームサービス情報を搬送するランダムアクセス要求メッセージを基地局に前記送信することの前に、
前記ＵＥが前記基地局から同報通信される同報通信メッセージを受信することであって、前記同報通信メッセージは、前記ＵＥが前記ランダムアクセス手続きを実行するように前記基地局によって構成された時間領域リソースおよび周波数領域リソースについての情報を含む、受信することをさらに含む請求項１２乃至１８のいずれか一項に記載の方法。
【請求項２０】
ランダムアクセス方法であり、短サブフレームサービスにアクセスするために使用される方法であって、
ユーザ機器ＵＥから送信される、短サブフレームサービス情報を搬送するランダムアクセス要求メッセージを受信することであって、前記短サブフレームサービス情報は、ランダムアクセス手続きがトリガされた後で前記ＵＥが短サブフレームサービスを実行しようとしていることを示し、短サブフレームの持続時間は１ミリ秒未満である、受信することと、
前記基地局が、前記ランダムアクセス要求メッセージの伝送が完了した後で、前記ランダムアクセス手続きの残りのメッセージを伝送することであって、前記残りのメッセージは、前記短サブフレームサービスに対応するリソースを介して伝送され、前記リソースは、前記ＵＥが前記短サブフレームサービスを実行するように前記基地局によって構成された時間領域リソースおよび周波数領域リソースを含む、伝送することと
を含む方法。
【請求項２１】
前記基地局がランダムアクセスパラメータを前記ＵＥに送信することであって、前記ランダムアクセスパラメータは、前記ＵＥが前記短サブフレームサービスのデータを送信するときに利用可能な時間領域リソースおよび周波数領域リソースを示すために使用される、送信することをさらに含む請求項２０に記載の方法。
【請求項２２】
ユーザ機器ＵＥから送信される、短サブフレームサービス情報を搬送するランダムアクセス要求メッセージを前記受信することの前に、
前記基地局が、同報通信メッセージを前記ＵＥに同報通信することであって、前記同報通信メッセージは、前記ＵＥが前記ランダムアクセス手続きを実行するように構成された前記時間領域リソースおよび前記周波数領域リソースについての情報を含む、同報通信することをさらに含む請求項２０または２１に記載の方法。
【手続補正２】
【補正対象書類名】明細書
【補正対象項目名】０００３
【補正方法】変更
【補正の内容】
【０００３】
現在のロングタームエボリューション（Ｌｏｎｇ− Ｔｅｒｍ  Ｅｖｏｌｕｔｉｏｎ、ＬＴＥ）システムのアーキテクチャでは、サブフレームの持続時間は、１ミリ秒である。ユーザ機器（ｕｓｅｒ  ｅｑｕｉｐｍｅｎｔ、ＵＥ）のランダムアクセス手続きでは、ＵＥが遊休状態（ｉｄｌｅ）から活動状態（ａｃｔｉｖｅ）に入るプロセスは、約５０ミリ秒を要する。ＬＴＥシステムのこのような過度に長い伝送遅延は、短遅延サービスの遅延要件を満たすことができない。
【手続補正３】
【補正対象書類名】明細書
【補正対象項目名】０００８
【補正方法】変更
【補正の内容】
【０００８】
第１の態様の第３の可能な実施態様では、伝送ユニットは、第２のランダムアクセスチャネルを介して第２のプリアンブルを基地局に送信するように特に構成され、第２のプリアンブルのビットは、０番目から６３番目のビットであり、第２のランダムアクセスチャネルを持つ物理ランダムアクセスチャネルの時間領域リソースのサイズは、１ミリ秒であり、第２のランダムアクセスチャネルを持つ物理ランダムアクセスチャネルの時間領域リソースおよび／または周波数領域リソースの位置は、通常物理ランダムアクセスチャネルのそれと異なり、通常物理ランダムアクセスチャネルは、ランダムアクセス手続きにおいて通常サブフレームサービスにアクセスするために使用される物理ランダムアクセスチャネルであり、時間領域リソースおよび／または周波数領域リソースの位置は、基地局によって、ランダムアクセス手続きがトリガされた後でＵＥが短サブフレームサービスを実行しようとしていると決定するために使用される。
【手続補正４】
【補正対象書類名】明細書
【補正対象項目名】００１１
【補正方法】変更
【補正の内容】
【００１１】
第１の態様または上述の可能な実施態様のうちのいずれか１つを参照して、第１の態様の第６の可能な実施態様では、ＵＥは、基地局から送信されるランダムアクセスパラメータを受信するように構成された受信ユニットであって、ランダムアクセスパラメータはＵＥが短サブフレームサービスのデータを送信するときに利用可能な時間領域リソースおよび周波数領域リソースを示すために使用される、受信ユニットをさらに含む。
【手続補正５】
【補正対象書類名】明細書
【補正対象項目名】００１２
【補正方法】変更
【補正の内容】
【００１２】
第１の態様の第５の可能な実施態様を参照して、第１の態様の第７の可能な実施態様では、受信ユニットは、ＵＥがランダムアクセス手続きを実行するように基地局によって構成された時間領域リソースおよび周波数領域リソースについての情報を受信するようにさらに構成され、情報は、基地局によって同報通信される。
【手続補正６】
【補正対象書類名】明細書
【補正対象項目名】００２２
【補正方法】変更
【補正の内容】
【００２２】
第３の態様または上述の可能な実施態様のうちのいずれか１つを参照して、第３の態様の第６の可能な実施態様では、この方法は、ＵＥが、基地局から送信されるランダムアクセスパラメータを受信することであって、ランダムアクセスパラメータはＵＥが短サブフレームサービスのデータを送信するときに利用可能な時間領域リソースおよび周波数領域リソースを示すために使用される、受信することをさらに含む。
【手続補正７】
【補正対象書類名】明細書
【補正対象項目名】００３１
【補正方法】変更
【補正の内容】
【００３１】
本発明の実施形態の基地局は、ＬＴＥシステムの進化型ノードＢ（ｅ−ＮｏｄｅＢ、進化型ＮｏｄｅＢ）、または進化型ＬＴＥ通信システムの同様の基地局であり得る。
【手続補正８】
【補正対象書類名】明細書
【補正対象項目名】００３８
【補正方法】変更
【補正の内容】
【００３８】
図１に示されるように、ｅＮＢは１つのセル（ｃｅｌｌ）を管理し、このセルのカバレージエリア内に３つのユーザ機器、すなわちＵＥ１、ＵＥ２およびＵＥ３がある。１つのＵＥが遊休状態から接続状態に入ろうとするとき、またはアップリンク情報を、セル下りアクセス状態、セルページング状態もしくは登録領域ページング状態など、異なる状態にあるときに送信しようとするときには、そのＵＥは、ランダムアクセス手続きを使用してｅＮＢへの接続を確立して、対応する通信サービスを取得することがある。各ＵＥとｅＮＢの間のランダムアクセス手続きは、独立している。基地局は、複数のＵＥから送信されるランダムアクセス要求を同時に処理することがある。ｅＮＢなどの基地局デバイスは１つまたは複数のセルを管理することがあり、このことは本発明のこの実施形態に限定されないことを理解されることができる。
【手続補正９】
【補正対象書類名】明細書
【補正対象項目名】００４１
【補正方法】変更
【補正の内容】
【００４１】
同報通信メッセージは、物理ランダムアクセスチャネル（ｐｈｙｓｉｃａｌ  ｒａｎｄｏｍ  ａｃｃｅｓｓ  ｃｈａｎｎｅｌ、ＰＲＡＣＨ）の時間領域リソースおよび周波数領域リソース（「時間／周波数リソース」と略記する）、ならびにランダムアクセスプリアンブルの初期パワー一定値（ＣｏｎｓｔａｎｔＶａｌｕｅ）、ランダムアクセスプリアンブルのパワーランプステップ（ＰｏｗｅｒＲａｍｐＳｔｅｐ）、ランダムアクセスプリアンブルの再伝送の最大量（ＰｒｅａｍｂｌｅＲｅｔｒａｎｓＭａｘ）などのパラメータなど、ＵＥが利用可能なランダムアクセスリソースを含む。
【手続補正１０】
【補正対象書類名】明細書
【補正対象項目名】００４６
【補正方法】変更
【補正の内容】
【００４６】
Ｓ１０４：ＵＥが、無線リソース制御接続要求（ｒａｄｉｏ  ｒｅｓｏｕｒｃｅ  ｃｏｎｔｒｏｌ  ｃｏｎｎｅｃｔｉｏｎ  ｒｅｑｕｅｓｔ、ＲＲＣ  ｃｏｎｎｅｃｔｉｏｎ  ｒｅｑｕｅｓｔ）メッセージを送信する。
【手続補正１１】
【補正対象書類名】明細書
【補正対象項目名】００４８
【補正方法】変更
【補正の内容】
【００４８】
ＬＴＥシステムでは、各フレーム（ｆｒａｍｅ）の持続時間は１０ｍｓであり、各フレームは、１０個のサブフレームに分割されることがあり、各サブフレームの持続時間は１ｍｓである。シグナリングまたはデータは、フレーム単位またはサブフレーム単位で伝送される。ＵＥがランダムアクセス手続き全体を完了して遊休状態から活動状態に入るには、約５０ｍｓかかり、これは、過度に長い伝送遅延である。短遅延サービスを担持するために上記の１ｍｓのサブフレームが使用される場合には、短遅延サービスの要件が満たされることができない。したがって、短遅延サービスを実行するために仮想マルチキャリアアグリゲーション技術が使用されるときには、対応するランダムアクセス手続きが設計される必要がある。
【手続補正１２】
【補正対象書類名】明細書
【補正対象項目名】００８８
【補正方法】変更
【補正の内容】
【００８８】
具体的には、第２のランダムアクセスチャネル用に構成された時間／周波数リソースの位置は、リソース構成図（図９に示される）を使用して図示される。この図に示されるように、横軸は時間領域リソースを表し、縦軸は周波数領域リソースを表す。ＰＲＡＣＨ１は、通常物理ランダムアクセスチャネルを持つ物理ランダムアクセスチャネルを表し、ＰＲＡＣＨ１と記されている長方形は、ＰＲＡＣＨ１によって占有されるリソースの合計を表す。ＰＲＡＣＨ２は、第２のランダムアクセスチャネルを持つ物理ランダムアクセスチャネルを表す。ＰＲＡＣＨ１の送信期間では、ＰＲＡＣＨ２は、任意の位置に設定されることがある。この図に示されるように、ＰＲＡＣＨ２は、ＰＲＡＣＨ１と同じ周波数領域リソース位置には設定されないことがあるが、ＰＲＡＣＨ１と同じ時間領域リソース位置には設定されることがある。任意選択で、この図には示されていないが、あるいは、ＰＲＡＣＨ２は、ＰＲＡＣＨ１と同じ時間領域リソース位置に設定されないことがあり、またＰＲＡＣＨ１と同じ周波数領域リソース位置にも設定されないことがあり、またはＰＲＡＣＨ１と同じ時間領域リソース位置には設定されないことがあるが、ＰＲＡＣＨ１と同じ周波数領域リソース位置には設定されることがある。
【手続補正１３】
【補正対象書類名】明細書
【補正対象項目名】００８９
【補正方法】変更
【補正の内容】
【００８９】
ＬＴＥシステムとの互換性を維持するために、第２のランダムアクセスチャネルを持つＰＲＡＣＨの時間領域リソースおよび周波数領域リソースのサイズは、通常物理ランダムアクセスチャネルを持つＰＲＡＣＨのそれらと同じままであり、時間領域リソースは１ｍｓ、すなわち通常サブフレームの持続時間である。さらに、ＬＴＥシステム用に指定される６４ビットプリアンブルシーケンスが、第２のプリアンブルとして使用される。
【手続補正１４】
【補正対象書類名】明細書
【補正対象項目名】０１０５
【補正方法】変更
【補正の内容】
【０１０５】
具体的には、ＬＴＥシステムでは、構成０、構成１、…および構成４で表される５つのタイプのランダムシーケンス時間領域リソースの構成があり、各構成は、異なるサイズの時間領域リソースを有する。構成４は、時分割二重（ｔｉｍｅ  ｄｉｖｉｓｉｏｎ  ｄｕｐｌｅｘ、ＴＤＤ）のための特殊な構成であり、ここで、ＰＲＡＣＨは、２個のＯＦＤＭシンボルの時間領域リソースおよび６個のＲＢの周波数領域リソースのみを占有する。この実施形態では、構成４のプリアンブルは、第３のプリアンブルとして使用される。任意選択で、１ｍｓサブフレームでランダムアクセスリソースが１つしか構成されない場合、すなわちＵＥが１ｍｓごとに１つのランダムアクセス要求メッセージを送信することを許されている場合には、ランダムアクセス手続きが完了した後で直ちに短サブフレームサービスが実行されることがあるようにするために、第３のプリアンブルを持つ第３のランダムアクセスチャネルは、この１ｍｓの最後の２つのＯＦＤＭシンボルに構成されることがある。
【手続補正１５】
【補正対象書類名】明細書
【補正対象項目名】０１０８
【補正方法】変更
【補正の内容】
【０１０８】
本発明のこの実施形態では、基地局は、ＵＥに送信されるランダムアクセスパラメータで構成４の関連する情報を搬送して、ＵＥが構成４のプリアンブルシーケンスを短遅延サービスにアクセスするためのランダムアクセス手続きのプリアンブルとして使用することがあることを示す。ＵＥは、それ自体の必要に応じて、すなわち短サブフレームサービスが実行されるかどうかに応じて、構成４のプリアンブルシーケンスをランダムアクセス要求メッセージを送信するためのプリアンブルとして使用するかどうかを決定する。このように、基地局は、受信されるプリアンブルの構成の仕方に従って、ＵＥが短サブフレームサービスを実行しようとしていることを学習することがあり、ランダムアクセス手続きの残りのメッセージのさらなる伝送は、短サブフレームサービスに対応する時間／周波数リソースを介して実行されて、ランダムアクセス手続きの遅延を短縮する。
【手続補正１６】
【補正対象書類名】明細書
【補正対象項目名】０１２２
【補正方法】変更
【補正の内容】
【０１２２】
任意選択で、基地局は、基地局から送信されたランダムアクセスパラメータを受信するように構成された同報通信ユニット８０３をさらに含むことがあり、ここで、ランダムアクセスパラメータは、ＵＥが短サブフレームサービスのデータを送信するときに利用可能な時間領域リソースおよび周波数領域リソースを示すために使用される。
【手続補正１７】
【補正対象書類名】明細書
【補正対象項目名】０１３５
【補正方法】変更
【補正の内容】
【０１３５】
ＬＴＥシステムとの互換性を維持するために、第２のランダムアクセスチャネルを持つＰＲＡＣＨの時間領域リソースおよび周波数領域リソースのサイズは、通常物理ランダムアクセスチャネルを持つＰＲＡＣＨのそれらと同じままであり、時間領域リソースは１ｍｓ、すなわち通常サブフレームの持続時間である。さらに、ＬＴＥシステム用に指定される６４ビットプリアンブルシーケンスが、第２のプリアンブルとして使用される。
【手続補正書】
【提出日】平成29年10月13日(2017.10.13)
【手続補正１】
【補正対象書類名】明細書
【補正対象項目名】００３６
【補正方法】変更
【補正の内容】
【００３６】
仮想マルチキャリアアグリゲーション技術は、マクロセル（ｍａｃｒｏ  ｃｅｌｌ）ネットワーキングシナリオ、マクロセル／スモールセル（ｓｍａｌｌ  ｃｅｌｌ）ジョイントネットワーキングシナリオ、スモールセル間の仮想マルチキャリアアグリゲーションなど、複数のネットワーキングシナリオに適用可能である。スモールセルは、マイクロセル（ｍｉｃｒｏ）またはピコセル（ｐｉｃｏ）など、任意のスモールセル製品であることがある。具体的には、マクロセルネットワーキングシナリオでは、仮想マルチキャリアアグリゲーションは、マクロセルで実施される。マクロセル／スモールセルジョイントネットワーキングシナリオでは、仮想マルチキャリアアグリゲーションは、スモールセルで実施されることがあり、マクロセルがスモールセルの短サブフレームリソースと干渉するのを回避するために、スモールセルは、マクロセルと交渉して、マクロセルにスモールセルのサブフレームが位置するスペクトルリソースを放棄させる。任意選択で、マクロセル／スモールセルジョイントネットワーキングシナリオでは、仮想マルチキャリアアグリゲーションは、スモールセルおよびマクロセルで別個に実施されることがあり、マクロセルがスモールセルの短サブフレームリソースと干渉するのを回避するために、割当てにおいて、マクロセルは、マクロセル、またはスモールセルの別の２次成分キャリアに、スモールセルの短サブフレームが位置するスペクトルリソースを放棄させる。さらに、遠隔無線ユニットを備えるマクロセル／スモールセルジョイントネットワーキングシナリオでは、マクロセルとマイクロセルのセル識別子が異なる場合には、仮想マルチキャリアアグリゲーションは、マクロセルで実施されることがある。マクロセルとマイクロセルのセル識別子が同一である場合には、遠隔無線ユニット（ｒｅｍｏｔｅ  ｒａｄｉｏ  ｕｎｉｔ、ＲＲＵ）の仮想１次成分キャリアは、マクロセルのアンテナポートと等価であり、ＲＲＵのこの仮想１次成分キャリアまたは仮想２次成分キャリアの帯域幅は、マクロセルの帯域幅と同じであり、スモールセルは、異なる仮想キャリアを担持することも、または仮想２次成分キャリアのみを持つこともある。
【手続補正２】
【補正対象書類名】明細書
【補正対象項目名】００６７
【補正方法】変更
【補正の内容】
【００６７】
任意選択で、ステップＳ２０１の前に、この方法は、ステップＳ２００をさらに含むことがある。
Ｓ２００：ＵＥが、基地局から同報通信された同報通信メッセージを受信する。ここで、同報通信メッセージは、ＵＥがランダムアクセス手続きを実行するように基地局によって構成された時間領域リソースおよび周波数領域リソースについての情報を含む。具体的には、このランダムアクセス手続きの時間領域リソースおよび周波数領域リソースは、ＵＥのランダムアクセス要求メッセージを持つＰＲＡＣＨの時間／周波数リソースであり得る。
【手続補正３】
【補正対象書類名】明細書
【補正対象項目名】００７７
【補正方法】変更
【補正の内容】
【００７７】
任意選択で、Ｓ３０１の前に、この方法は、ステップＳ３００をさらに含むことがある。Ｓ３００：ＵＥが、基地局から同報通信された同報通信メッセージを受信する。ここで、同報通信メッセージは、第１のグループのプリアンブルについての情報、および第２のグループのプリアンブルについての情報を含む。
【手続補正４】
【補正対象書類名】明細書
【補正対象項目名】００９３
【補正方法】変更
【補正の内容】
【００９３】
任意選択で、Ｓ４０１の前に、この方法は、ステップＳ４００をさらに含むことがある。Ｓ４００：ＵＥが、基地局から同報通信されたシステム情報を受信する。ここで、システム情報は、短サブフレームサービスに関連するランダムアクセス情報を別個に示すために使用される。
【手続補正５】
【補正対象書類名】明細書
【補正対象項目名】０１２２
【補正方法】変更
【補正の内容】
【０１２２】
任意選択で、ＵＥは、基地局から送信されたランダムアクセスパラメータを受信するように構成された受信ユニット６０３をさらに含むことがあり、ここで、ランダムアクセスパラメータは、ＵＥが短サブフレームサービスのデータを送信するときに利用可能な時間領域リソースおよび周波数領域リソースを示すために使用される。
【手続補正６】
【補正対象書類名】明細書
【補正対象項目名】０１７７
【補正方法】変更
【補正の内容】
【０１７７】
上述の実施形態の説明から、当業者なら、本発明がハードウェア、ファームウェアまたはそれらの組合せによって実施されることがあることを明白に理解することがある。本発明がソフトウェアによって実施されるときには、上述の機能は、コンピュータ可読媒体に記憶されることがあり、または、コンピュータ可読媒体において１つまたは複数の命令もしくはコードとして伝送されることがある。コンピュータ可読媒体は、コンピュータ記憶媒体および通信媒体を含み、ここで、通信媒体は、１つの場所から別の場所へのコンピュータプログラムの転送を容易にする任意の媒体を含む。記憶媒体は、コンピュータがアクセス可能な任意の利用可能な媒体であることがある。例えば、これらに限定されるわけではないが、コンピュータ可読媒体は、ＲＡＭ、ＲＯＭ、ＥＥＰＲＯＭ、ＣＤ−ＲＯＭもしくは別の光ディスク記憶装置、ディスク記憶媒体もしくは別の磁気記憶デバイス、または所期のプログラムコードを命令もしくはデータ構造形態で搬送もしくは記憶することができ、コンピュータによってアクセスされることができる他の任意の媒体を含むことがある。さらに、任意の接続は、コンピュータ可読媒体として適宜規定されることがある。例えば、ウェブサイト、サーバまたは別の遠隔ソースから、同軸ケーブル、光ファイバ／ケーブル、撚り対線、デジタル加入者回線（ＤＳＬ）、または赤外線、無線およびマイクロ波などのワイヤレス技術を使用してソフトウェアが伝送される場合には、これらの同軸ケーブル、光ファイバ／ケーブル、撚り対線、ＤＳＬ、または赤外線、無線およびマイクロ波などのワイヤレス技術は、媒体の定義に含まれる。例えば、本発明で使用されるディスク（Ｄｉｓｋ）およびディスク（Ｄｉｓｃ）は、コンパクトディスク（ＣＤ）、レーザディスク、光ディスク、デジタル汎用ディスク（ＤＶＤ）、フロッピーディスクおよびＢｌｕ−ｒａｙディスクを含み、ここで、ディスク（ｄｉｓｋ）は、一般にデータを磁気的に複製し、ディスク（ｄｉｓｃ）は、レーザを使用して光学的にデータを複製する。上述したものの組合せも、コンピュータ可読媒体の保護範囲に含まれるべきである。
【手続補正７】
【補正対象書類名】図面
【補正対象項目名】図２
【補正方法】変更
【補正の内容】
【図２】
2018510562.tif 000012
【国際調査報告】
2018510562.tif 000013
2018510562.tif 000014
2018510562.tif 000015
2018510562.tif 000016